(57)【要約】【課題】  検出ユニットの影響を抑制し、被検眼の光学特性を他覚的に良好に測定することができる自覚式検眼装置を提供する。【解決手段】  光学部材を有し、被検眼の眼前に配置され、視標光束の光学特性を光学部材を用いて変更する検眼ユニットを備え、視標光束を検眼ユニットを介して被検眼に投影し、被検眼の光学特性を自覚的に測定するための自覚式検眼装置であって、測定光を出射する測定光源を有し、測定光源から出射された測定光を検眼ユニットを介して被検眼の眼底に照射する投光光学系と、被検眼の眼底によって反射された測定光の反射光を検眼ユニットを介して検出器で受光する受光光学系と、を有し、被検眼の光学特性を他覚的に測定する測定光学系を備え、検眼ユニットにおける光学部材の光軸に対して、測定光学系の光軸が軸外となるように、設定される。【選択図】      図１
2020049144.tif 000002
【特許請求の範囲】
【請求項１】
光学部材を有し、被検眼の眼前に配置され、視標光束の光学特性を前記光学部材を用いて変更する検眼ユニットを備え、
前記視標光束を前記検眼ユニットを介して前記被検眼に投影し、前記被検眼の光学特性を自覚的に測定するための自覚式検眼装置であって、
測定光を出射する測定光源を有し、前記測定光源から出射された前記測定光を前記検眼ユニットを介して前記被検眼の眼底に照射する投光光学系と、前記被検眼の眼底によって反射された前記測定光の反射光を前記検眼ユニットを介して検出器で受光する受光光学系と、を有し、前記被検眼の光学特性を他覚的に測定する測定光学系を備え、
前記検眼ユニットにおける前記光学部材の光軸に対して、前記測定光学系の光軸が軸外となるように、設定されることを特徴とする自覚式検眼装置。
【請求項２】
請求項１の自覚式検眼装置において、
前記検眼ユニットにおける前記光学部材の光軸に対して、前記測定光学系における前記投光光学系の光軸と前記受光光学系の光軸との少なくとも一方の光軸が軸外となるように、設定されることで、前記検眼ユニットにおける前記光学部材の光軸に対して、前記測定光学系の光軸が軸外となるように、設定されることを特徴とする自覚式検眼装置。
【請求項３】
請求項２の自覚式検眼装置において、
前記検眼ユニットにおける前記光学部材の光軸に対して、前記投光光学系における前記測定光源の光軸が軸外となるように設定されることで、前記検眼ユニットにおける前記光学部材の光軸に対して、前記投光光学系の光軸が軸外となるように、設定されることを特徴とする自覚式検眼装置。
【請求項４】
請求項２又は３の自覚式検眼装置において、
前記投光光学系は、前記測定光源から出射された前記測定光を前記検眼ユニットを介して前記被検眼の眼底に照射する対物光学系を有し、前記測定光を前記検眼ユニットを介して前記被検眼の眼底に照射し、
前記検眼ユニットにおける前記光学部材の光軸に対して、前記投光光学系における前記対物光学系の光軸が軸外となるように、設定されることで前記検眼ユニットにおける前記光学部材の光軸に対して、前記投光光学系の光軸が軸外となるように、設定されることを特徴とする自覚式検眼装置。
【請求項５】
請求項２〜４のいずれかの自覚式検眼装置において、
前記投光光学系の光軸を前記検眼ユニットにおける前記光学部材の光軸に対して傾斜させることで、前記検眼ユニットにおける前記光学部材の光軸に対して、前記投光光学系の光軸が軸外となるように、設定されることを特徴とすることを特徴とする自覚式検眼装置。
【請求項６】
請求項２〜４のいずれかの自覚式検眼装置において、
前記投光光学系の光軸を前記検眼ユニットの光軸に対して偏心させることで、前記検眼ユニットの光軸に対して、前記投光光学系の光軸が軸外となるように、設定されることを特徴とすることを特徴とする自覚式検眼装置。
【請求項７】
請求項１〜６のいずれかの自覚式検眼装置において、
前記検眼ユニットにおける前記光学部材の光軸は、前記被検眼が正面方向から投影される前記視標光束を見るために設定された視軸と、同軸であって、
前記検眼ユニットにおける前記光学部材の光軸に対して、前記測定光学系の光軸が軸外となるように、前記測定光学系が配置されることを特徴とする自覚式検眼装置。
【請求項８】
請求項７の自覚式検眼装置において、
前記光学部材は、保護カバーと前記保護カバーとは異なる光学部材を含み、
少なくとも前記保護カバーの光軸が、前記視軸に対して、傾斜されて配置されることを特徴とする自覚式検眼装置。  
【請求項９】
請求項１〜８のいずれかの自覚式検眼装置において、
前記視標光束を出射する視標呈示部と、を有し、前記視標呈示部から出射された前記視標光束を被検眼に向けて投影する投影光学系と、
前記投影光学系を収納する筐体と、
を備え、
前記検眼ユニットは、前記筐体の外部に配置され、前記視標呈示部より出射された前記視標光束の光学特性を前記光学部材を用いて変更することを特徴とする自覚式検眼装置。
【請求項１０】
請求項９の自覚式検眼装置において、
前記投光光学系は、前記検眼ユニットと前記筐体との間に配置されることを特徴とする自覚式検眼装置。
【請求項１１】
請求項９の自覚式検眼装置において、
前記投光光学系は、前記筐体内に配置されることを特徴とする自覚式検眼装置。
【請求項１２】
請求項９〜１１のいずれかの自覚式検眼装置において、
前記検眼ユニットを保持する保持手段を備え、
前記保持手段は、前記筐体と前記検眼ユニットとを一体的に連結することを特徴とする自覚式検眼装置。
【請求項１３】
請求項１〜１２のいずれかの自覚式検眼装置において、
前記光学部材による前記視標光束の光学特性の変化量に基づいて、前記測定光学系によって測定される前記被検眼の光学特性を補正する補正手段を備えることを特徴とする自覚式検眼装置。
【発明の詳細な説明】
【技術分野】
【０００１】
本開示は、被検眼の光学特性を自覚的に測定するための自覚式検眼装置に関する。
【背景技術】
【０００２】
被検者眼の前に配置される検眼ユニットを用いて、検眼ユニットの検査窓に球面レンズや柱面（乱視）レンズ等の光学部材を配置し、配置された光学部材を通して被検眼に視標を呈示することによって、被検眼の光学特性を自覚的に検査（測定）する自覚式検眼装置が知られている（特許文献１参照）。
【先行技術文献】
【特許文献】
【０００３】
【特許文献１】特開平５−１７６８９３号公報
【発明の概要】
【発明が解決しようとする課題】
【０００４】
ところで、上記のような自覚式検眼装置において、被検眼の光学特性を他覚的に測定する測定光学系を搭載する構成について検討をしたところ、検眼ユニットを介して、測定光学系の測定光を照射したところ、被検眼の光学特性を他覚的に良好に測定することができないことがわかった。
【０００５】
本開示は、上記従来技術に鑑み、検出ユニットの影響を抑制し、被検眼の光学特性を他覚的に良好に測定することができる自覚式検眼装置を提供することを技術課題とする。
【課題を解決するための手段】
【０００６】
上記課題を解決するために、本発明は以下のような構成を備えることを特徴とする。
【０００７】
本開示に係る自覚式検眼装置は、光学部材を有し、被検眼の眼前に配置され、視標光束の光学特性を前記光学部材を用いて変更する検眼ユニットを備え、前記視標光束を前記検眼ユニットを介して前記被検眼に投影し、前記被検眼の光学特性を自覚的に測定するための自覚式検眼装置であって、測定光を出射する測定光源を有し、前記測定光源から出射された前記測定光を前記検眼ユニットを介して前記被検眼の眼底に照射する投光光学系と、前記被検眼の眼底によって反射された前記測定光の反射光を前記検眼ユニットを介して検出器で受光する受光光学系と、を有し、前記被検眼の光学特性を他覚的に測定する測定光学系を備え、前記検眼ユニットにおける前記光学部材の光軸に対して、前記測定光学系の光軸が軸外となるように、設定されることを特徴とする。
【図面の簡単な説明】
【０００８】
【図１】自覚式検眼装置を正面側から示す斜視図である。
【図２】自覚式検眼装置を背面側から示す斜視図である。
【図３】投影光学系を左側面からみた図である。
【図４】測定光学系について説明するための図である。
【図５】観察ユニットについて説明するための図である。
【図６】検眼ユニットを示す図である。
【図７】傾斜構成について説明する図である。
【図８】偏心構成について説明する図である。
【図９】自覚式検眼装置における制御系の概略構成図である。
【図１０】検眼ユニットを用いた自覚検査が可能な状態を示す図である。
【発明を実施するための形態】
【０００９】
＜概要＞
以下、典型的な実施形態の１つについて、図面を参照して説明する。図１〜図１０は本実施形態に係る自覚式検眼装置について説明するための図である。なお、以下の＜＞にて分類された項目は、独立又は関連して利用されうる。
【００１０】
なお、以下の説明においては、自覚式検眼装置の奥行き方向（被検者の測定の際の被検者の前後方向）をＺ方向、奥行き方向に垂直（被検者の測定の際の被検者の左右方向）な平面上の水平方向をＸ方向、鉛直方向（被検者の測定の際の被検者の上下方向）をＹ方向として説明する。
【００１１】
例えば、本実施形態の自覚式検眼装置（例えば、自覚式検眼装置１）は、視標光束を検眼ユニット（例えば、検眼ユニット５０）を介して被検眼に投影し、被検眼の光学特性を自覚的に測定する。例えば、自覚的に測定される被検眼の光学特性としては、眼屈折力、コントラスト感度、両眼視機能（例えば、斜位量、立体視機能等）等の少なくともいずれかであってもよい。例えば、眼屈折力としては、球面情報（例えば、球面度数（Ｓ））、乱視情報（例えば、乱視度数（Ｃ）と乱視軸角度（Ａ）との少なくともいずれか等）等の少なくともいずれかであってもよい。
【００１２】
本実施形態において、例えば、自覚式検眼装置は、検眼ユニットを備える。例えば、検眼ユニットは、光学部材（例えば、レンズディスク５７の光学部材、レンズ５７ａ）を有し、被検眼の眼前に配置され、視標光束の光学特性を光学部材を用いて変更する。
【００１３】
また、例えば、自覚式検眼装置は、被検眼の光学特性を他覚的に測定する測定光学系（例えば、測定光学系１００）を備える。例えば、測定光学系は、投光光学系（例えば、投光光学系１０５）と、受光光学系（例えば、受光光学系１２０）と、を有する。例えば、投光光学系は、測定光を出射する測定光源（例えば、測定光源１３０）を有し、測定光源から出射された測定光を検眼ユニットを介して被検眼の眼底に照射する。例えば、投光光学系は、さらに、対物光学系（例えば、対物光学系１１０）を有していてもよい。この場合、例えば、対物光学系は、測定光源から出射された測定光を検眼ユニットを介して被検眼の眼底に照射する。例えば、受光光学系は、被検眼の眼底によって反射された測定光の反射光を検眼ユニットを介して検出器（例えば、検出器１２１）で受光する。
【００１４】
例えば、本実施形態において、自覚式検眼装置は、検眼ユニットにおける光学部材の光軸（例えば、光軸Ｌ４）に対して、測定光学系の光軸（例えば、光軸Ｌ５、光軸Ｌ６）が軸外となるように、設定される。例えば、本実施形態において、自覚式検眼装置は、投光光学系からの測定光が検眼ユニットの光学部材によって反射されることで生じる反射光の受光光学系による検出が抑制されるように、検眼ユニットにおける光学部材の光軸に対して、測定光学系の光軸が軸外に設定される。
【００１５】
このように、例えば、自覚式検眼装置は、測定光を出射する測定光源を有し、測定光源から出射された測定光を検眼ユニットを介して被検眼の眼底に照射する投光光学系と、被検眼の眼底によって反射された測定光の反射光を検眼ユニットを介して検出器で受光する受光光学系と、を有し、被検眼の光学特性を他覚的に測定する測定光学系を備え、検眼ユニットにおける光学部材の光軸に対して、測定光学系の光軸が軸外となるように、設定される。これによって、測定光学系における投光光学系の測定光が検眼ユニットの光学部材によって反射されてしまうことで、検眼ユニットの光学部材からの反射光が被検眼によって反射された反射光とともに検出されてしまい、被検眼の光学特性を良好に測定できなくなることを抑制することができる。すなわち、検眼ユニットの光学部材からの反射光が検出器に検出されることを抑制することで、被検眼の光学特性を良好に測定できなくなることを抑制することができる。
【００１６】
例えば、検眼ユニットにおける光学部材の光軸に対して、測定光学系の光軸が軸外となるように、設定される構成としては、投光光学系の光軸と受光光学系の光軸との少なくとも一方の光軸を軸外とする構成であってもよい。この場合、例えば、検眼ユニットにおける光学部材の光軸に対して、測定光学系における投光光学系の光軸（例えば、光軸Ｌ５）と受光光学系の光軸（例えば、光軸Ｌ６）との少なくとも一方の光軸が軸外となるように、設定されるようにしてもよい。これによって、検眼ユニットにおける光学部材の光軸に対して、測定光学系の光軸が軸外となるように、設定されるようにしてもよい。例えば、本実施形態において、自覚式検眼装置は、投光光学系からの測定光が検眼ユニットの光学部材によって反射されることで生じる反射光が、受光光学系によって検出されないように、検眼ユニットにおける光学部材の光軸に対して、測定光学系における投光光学系の光軸と受光光学系の光軸との少なくとも一方の光軸が軸外となるように設定される。
【００１７】
例えば、投光光学系は、検眼ユニットにおける光学部材の光軸に対して、投光光学系の光軸が同軸となるように、設定される場合、受光光学系が検眼ユニットにおける光学部材の光軸に対して軸外とされる構成であればよい。
【００１８】
例えば、受光光学系は、検眼ユニットにおける光学部材の光軸に対して、受光光学系の光軸が同軸となるように、設定される場合、投光光学系が検眼ユニットにおける光学部材の光軸に対して軸外とされる構成であればよい。なお、受光光学系としては、検眼ユニットにおける光学部材による測定光学系の測定光の反射光が検出されづらい位置に配置されることが好ましい。なお、例えば、投光光学系における対物光学系と、受光光学系と、の少なくとも一部の光学部材が兼用される構成としてもよい。もちろん、それぞれ、別の光学部材によって構成されてもよい。
【００１９】
なお、例えば、検眼ユニットにおける光学部材の光軸に対して、投光光学系の光軸が軸外となるように、設定する構成において、測定光源を軸外にさせる構成とすることで、投光光学系の光軸が軸外となるように、設定してもよい。この場合、例えば、検眼ユニットにおける光学部材の光軸に対して、測定光源の光軸が軸外となるように設定されることで、検眼ユニットにおける前記光学部材の光軸に対して、投光光学系の光軸が軸外となるように、設定されるようにしてもよい。
【００２０】
なお、例えば、検眼ユニットにおける光学部材の光軸に対して、投光光学系の光軸が軸外となるように、設定する構成において、投光光学系の対物光学系を軸外にさせる構成とすることで、投光光学系の光軸が軸外となるように、設定してもよい。この場合、例えば、検眼ユニットにおける光学部材の光軸に対して、対物光学系の光軸が軸外となるように、設定されることで検眼ユニットにおける光学部材の光軸に対して、投光光学系の光軸が軸外となるように、設定されるようにしてもよい。
【００２１】
例えば、自覚式検眼装置は、さらに、投影光学系（例えば、投影光学系１０）と、筐体（例えば、筐体２）と、を備えるようにしてもよい。例えば、投影光学系は、視標光束を出射する視標呈示部と、を有し、視標呈示部から出射された視標光束を被検眼に向けて投影するようにしてもよい。例えば、筐体は、投影光学系を収納するようにしてもよい。この場合、例えば、検眼ユニットは、筐体の外部に配置され、視標呈示部より出射された視標光束の光学特性を光学部材を用いて変更するようにしてもよい。
【００２２】
例えば、投光光学系の配置位置としては、任意の位置に配置することができる。また、例えば、受光光学系の配置位置としては、任意の位置に配置することができる。
【００２３】
例えば、自覚式検眼装置が投影光学系と筐体とを備える場合に、筐体の内部に投光光学系を配置するようにしてもよい。この場合、例えば、投光光学系は、筐体内に配置されるようにしてもよい。一例として、投光光学系からの測定光が、投影光学系の少なくとも一部の部材を介して筐体内から筐体外の検眼ユニットに向けて測定光が出射される構成であってもよい。また、一例として、投光光学系からの測定光が、投影光学系の部材を経由することなく、筐体内から筐体外の検眼ユニットに向けて測定光が出射される構成であってもよい。このとき、例えば、受光光学系は、筐体の内部又は外部のいずれかに配置されるようにしてもよい。
【００２４】
また、例えば、自覚式検眼装置が投影光学系と筐体とを備える場合に、筐体の外部に投光光学系を配置するようにしてもよい。この場合、例えば、投光光学系は、検眼ユニットと筐体との間に配置されるようにしてもよい。一例として、投光光学系が、検眼ユニットに配置されるようにしてもよい。すなわち、投光光学系が、検眼ユニットと一体的に配置されるようにしてもよい。このとき、例えば、受光光学系は、筐体の内部又は外部のいずれかに配置されるようにしてもよい。
【００２５】
なお、例えば、自覚式検眼装置が投影光学系と筐体とを備える場合に、投光光学系の少なくとも一部の部材が筐体の外部に配置されるようにしてもよい。一例として、例えば、投光光学系が測定光源と対物光学系とを有する場合、測定光源及び対物光学系の少なくとも一部の部材が筐体の外部に配置されるようにしてもよい。また、例えば、受光光学系の少なくとも一部の部材が筐体の外部に配置されるようにしてもよい。
【００２６】
例えば、検眼ユニットにおける光学部材の光軸に対して、測定光学系の光軸が軸外となるように、設定される構成において、測定光学系の光軸と、検眼ユニットにおける光学部材の光軸と、の一方の光軸が、被検眼が正面方向から投影される視標光束を見るために設定された視軸（例えば、光軸Ｌ４）と、同軸である構成としてもよい。なお、本実施形態において、同軸とは、略同軸を含む。この場合、例えば、測定光学系の光軸は、被検眼が正面方向から投影される視標光束を見るために設定された視軸と、を同軸であって、測定光学系の光軸に対して、検眼ユニットにおける光学部材の光軸が軸外となるように、検眼ユニットにおける光学部材が配置されるようにしてもよい。すなわち、視軸に対して、検眼ユニットの光学部材の光軸が軸外となるように、検眼ユニットの光学部材が設定されるようにしてもよい。
【００２７】
また、例えば、検眼ユニットにおける光学部材の光軸は、被検眼が正面方向から投影される視標光束を見るために設定された視軸と、同軸であって、検眼ユニットにおける光学部材の光軸に対して、測定光学系の光軸が軸外となるように、測定光学系が設定されるようにしてもよい。すなわち、視軸に対して、測定光学系の光軸が軸外となるように、測定光学系が設定されるようにしてもよい。このように、例えば、検眼ユニットにおける光学部材の光軸は、被検眼が正面方向から投影される視標光束を見るために設定された視軸と、同軸であって、検眼ユニットにおける光学部材の光軸に対して、測定光学系の光軸が軸外となるように、測定光学系が配置されるようにしてもよい。これによって、視軸と測定光学系の光軸とを同軸とし、検眼ユニットの光学部材の光軸を測定光学系の光軸に対して軸外とするように、検眼ユニットの光学部材が配置される構成よりも、容易な構成で検眼ユニットの光学部材からの反射光が検出器に検出されることを抑制することができる。
【００２８】
なお、例えば、測定光学系の光軸と、検眼ユニットにおける光学部材の光軸と、の一方の光軸が、被検眼が正面方向から投影される視標光束を見るために設定された視軸と、同軸とされる構成において、測定光学系としては、投光光学系と、受光光学系と、の少なくとも一方について、上記構成が適用されるようにしてもよい。
【００２９】
例えば、投光光学系に適用する場合、検眼ユニットにおける光学部材の光軸に対して、投光光学系の光軸が軸外となるように、設定される構成において、投光光学系の光軸と、検眼ユニットにおける光学部材の光軸と、の一方の光軸が、被検眼が正面方向から投影される視標光束を見るために設定された視軸（例えば、光軸Ｌ４）と、同軸である構成としてもよい。なお、本実施形態において、同軸とは、略同軸を含む。この場合、例えば、投光光学系の光軸は、被検眼が正面方向から投影される視標光束を見るために設定された視軸と、を同軸であって、投光光学系の光軸に対して、検眼ユニットにおける光学部材の光軸が軸外となるように、検眼ユニットにおける光学部材が配置されるようにしてもよい。すなわち、視軸に対して、検眼ユニットの光学部材の光軸が軸外となるように、検眼ユニットの光学部材が設定されるようにしてもよい。
【００３０】
また、この場合、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸が軸外となるように、投光光学系が設定されるようにしてもよい。すなわち、視軸に対して、投光光学系の光軸が軸外となるように、投光光学系が設定されるようにしてもよい。このように、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸が軸外となるように、投光光学系が配置されるようにしてもよい。これによって、視軸と投光光学系の光軸とを同軸とし、検眼ユニットの光学部材の光軸を投光光学系の光軸に対して軸外とするように、検眼ユニットの光学部材が配置される構成よりも、容易な構成で検眼ユニットの光学部材からの反射光が検出器に検出されることを抑制することができる。
【００３１】
もちろん、検眼ユニットにおける光学部材の光軸に対して、投光光学系の光軸が軸外となるように、設定される構成において、投光光学系の光軸と、検眼ユニットにおける光学部材の光軸と、の双方の光軸が、被検眼が正面方向から投影される視標光束を見るために設定された視軸に対して軸外である構成としてもよい。
【００３２】
例えば、受光光学系に適用する場合、検眼ユニットにおける光学部材の光軸に対して、受光光学系の光軸が軸外となるように、設定される構成において、受光光学系の光軸と、検眼ユニットにおける光学部材の光軸と、の一方の光軸が、被検眼が正面方向から投影される視標光束を見るために設定された視軸（例えば、光軸Ｌ４）と、同軸である構成としてもよい。なお、本実施形態において、同軸とは、略同軸を含む。この場合、例えば、受光光学系の光軸は、被検眼が正面方向から投影される視標光束を見るために設定された視軸と、を同軸であって、受光光学系の光軸に対して、検眼ユニットにおける光学部材の光軸が軸外となるように、検眼ユニットにおける光学部材が配置されるようにしてもよい。すなわち、視軸に対して、検眼ユニットの光学部材の光軸が軸外となるように、検眼ユニットの光学部材が設定されるようにしてもよい。
【００３３】
また、この場合、例えば、検眼ユニットにおける光学部材の光軸は、被検眼が正面方向から投影される視標光束を見るために設定された視軸と、同軸であって、検眼ユニットにおける光学部材の光軸に対して、受光光学系の光軸が軸外となるように、受光光学系が設定されるようにしてもよい。すなわち、視軸に対して、受光光学系の光軸が軸外となるように、受光光学系が設定されるようにしてもよい。このように、例えば、検眼ユニットにおける光学部材の光軸は、被検眼が正面方向から投影される視標光束を見るために設定された視軸と、同軸であって、検眼ユニットにおける光学部材の光軸に対して、受光光学系の光軸が軸外となるように、受光光学系が配置されるようにしてもよい。これによって、視軸と受光光学系の光軸とを同軸とし、検眼ユニットの光学部材の光軸を受光光学系の光軸に対して軸外とするように、検眼ユニットの光学部材が配置される構成よりも、容易な構成で検眼ユニットの光学部材からの反射光が検出器に検出されることを抑制することができる。
【００３４】
もちろん、検眼ユニットにおける光学部材の光軸に対して、受光光学系の光軸が軸外となるように、設定される構成において、受光光学系の光軸と、検眼ユニットにおける光学部材の光軸と、の双方の光軸が、被検眼が正面方向から投影される視標光束を見るために設定された視軸に対して軸外である構成としてもよい。
【００３５】
例えば、投光光学系及び受光光学系に適用する場合、検眼ユニットにおける光学部材の光軸に対して、投光光学系の光軸が軸外となるように、設定される構成において、投光光学系及び受光光学系の光軸と、検眼ユニットにおける光学部材の光軸と、の一方の光軸が、被検眼が正面方向から投影される視標光束を見るために設定された視軸（例えば、光軸Ｌ４）と、同軸である構成としてもよい。なお、本実施形態において、同軸とは、略同軸を含む。この場合、例えば、投光光学系の光軸及び受光光学系の光軸は、被検眼が正面方向から投影される視標光束を見るために設定された視軸と、を同軸であって、投光光学系の光軸及び受光光学系の光軸の光軸に対して、検眼ユニットにおける光学部材の光軸が軸外となるように、検眼ユニットにおける光学部材が配置されるようにしてもよい。すなわち、視軸に対して、検眼ユニットの光学部材の光軸が軸外となるように、検眼ユニットの光学部材が設定されるようにしてもよい。
【００３６】
また、この場合、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸及び受光光学系の光軸が軸外となるように、投光光学系及び受光光学系が設定されるようにしてもよい。すなわち、視軸に対して、投光光学系の光軸及び受光光学系の光軸が軸外となるように、投光光学系及び受光光学系が設定されるようにしてもよい。なお、上記の場合に、投光光学系の光軸及び受光光学系の光軸は、同軸であってもよいし、異なる軸であってもよい。このように、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸及び受光光学系の光軸が軸外となるように、投光光学系及び受光光学系が配置されるようにしてもよい。これによって、視軸と、投光光学系及び受光光学系の光軸とを同軸とし、検眼ユニットの光学部材の光軸を投光光学系及び受光光学系の光軸に対して軸外とするように、検眼ユニットの光学部材が配置される構成よりも、容易な構成で検眼ユニットの光学部材からの反射光が検出器に検出されることを抑制することができる。
【００３７】
もちろん、検眼ユニットにおける光学部材の光軸に対して、投光光学系の光軸及び受光光学系の光軸が軸外となるように、設定される構成において、投光光学系の光軸及び受光光学系の光軸と、検眼ユニットにおける光学部材の光軸と、の全ての光軸が、被検眼が正面方向から投影される視標光束を見るために設定された視軸に対して軸外である構成としてもよい。
【００３８】
＜軸外構成＞
以下、投光光学系を軸外に設定するための構成を例に挙げて説明する。もちろん、受光光学系についても、投光光学系と同様の構成を用いて軸外の設定を行うことができる。なお、以下の説明においては、受光光学系の軸外構成についての説明は投光光学系と同様に説明できるため省略する。
本実施形態において、例えば、本実施形態において、自覚式検眼装置は、検眼ユニットにおける光学部材の光軸に対して、投光光学系の光軸が軸外となるように、設定される。例えば、軸外とする構成としては、投光光学系の光軸を検眼ユニットにおける光学部材の光軸に対して傾斜させることで、検眼ユニットにおける光学部材の光軸に対して、投光光学系の光軸が軸外となるように、設定されるようにしてもよい。この場合、例えば、投光光学系の光軸と、検眼ユニットにおける光学部材の光軸と、の少なくとも一方の光軸を他方の光軸に対して傾斜させて配置するようにしてもよい。すなわち、例えば、投光光学系の光軸と、検眼ユニットにおける光学部材の光軸と、の少なくとも一方を傾斜させて配置することで、投光光学系の光軸と、検眼ユニットにおける光学部材の光軸と、が同軸とならないようにしてもよい。
【００３９】
なお、例えば、少なくとも一方の光軸を他方の光軸に対して傾斜させて配置する構成において、投光光学系における測定光源の光軸と、検眼ユニットにおける光学部材の光軸と、の少なくとも一方の光軸を他方の光軸に対して傾斜させて配置するようにしてもよい。なお、例えば、少なくとも一方の光軸を他方の光軸に対して傾斜させて配置する構成において、投光光学系が測定光源及び対物光学系を有する場合、対物光学系の光軸と、検眼ユニットにおける光学部材の光軸と、の少なくとも一方の光軸を他方の光軸に対して傾斜させて配置するようにしてもよい。
【００４０】
なお、例えば、投光光学系の光軸を検眼ユニットにおける光学部材の光軸に対して傾斜させる構成としては、投光光学系の少なくとも一部の光学部材の光軸を傾斜させる構成としてもよい。例えば、投光光学系が測定光源と対物光学系を有する場合に、測定光源及び対物光学系の少なくとも一方を検眼ユニットにおける光学部材の光軸に対して傾斜させて配置するようにしてもよい。
【００４１】
なお、例えば、検眼ユニットにおける光学部材の光軸を投光光学系の光軸に対して傾斜させる構成としては、検眼ユニットにおける光学部材の少なくとも一部の光学部材の光軸を傾斜させる構成としてもよい。例えば、検眼ユニットの光学部材として、保護カバーと保護カバー（例えば、保護カバー６５）とは異なる光学部材（例えば、レンズディスク５７の光学部材、レンズ５７ａ）を含む場合、保護カバーのみを投光光学系の光軸に対して傾斜させて配置するようにしてもよいし、保護カバーと保護カバーとは異なる光学部材との双方を投光光学系の光軸に対して傾斜させて配置するようにしてもよい。
【００４２】
なお、例えば、投光光学系の光軸が検眼ユニットにおける光学部材の光軸に対して傾斜している構成とは、投光光学系の光軸と、検眼ユニットにおける光学部材の光軸と、の成す角（傾斜角度）が０°でない構成を示す。例えば、傾斜角度は、５°〜２０°等であってもよい。もちろん、傾斜角度は、これに限定されず、任意の角度（例えば、１°、２５°等）で設定することができる。
【００４３】
例えば、投光光学系の光軸を検眼ユニットにおける光学部材の光軸に対して傾斜させる構成において、投光光学系の光軸と、検眼ユニットにおける光学部材の光軸と、の一方の光軸が、被検眼が正面方向から投影される視標光束を見るために設定された視軸と、同軸である構成としてもよい。なお、上記構成において、同軸とは、略同軸を含む。
【００４４】
この場合、例えば、投光光学系の光軸は、被検眼が正面方向から投影される視標光束を見るために設定された視軸と、を同軸であって、対物レンズの光軸に対して、検眼ユニットにおける光学部材の光軸を傾斜させて配置するようにしてもよい。すなわち、視軸に対して、検眼ユニットの光学部材の光軸を傾斜させて配置するようにしてもよい。
【００４５】
また、この場合、例えば、検眼ユニットにおける光学部材の光軸は、被検眼が正面方向から投影される視標光束を見るために設定された視軸と、同軸であって、検眼ユニットにおける光学部材の光軸に対して、対物光学系の光軸を傾斜させて配置するようにしてもよい。すなわち、視軸に対して、対物光学系の光軸を傾斜させて配置するようにしてもよい。これによって、視軸に対して、検眼ユニットの光学部材を傾斜させて配置する構成よりも、容易な構成で検眼ユニットの光学部材からの反射光が検出器に検出されることを抑制することができる。
【００４６】
なお、上記のように、視軸に対して、投光光学系の光軸を傾斜させて配置する構成の場合に、さらに、検眼ユニットの光学部材の一部の光学部材の光軸を視軸に対して、傾斜させるように配置してもよい。例えば、検眼ユニットにおける光学部材の内、少なくとも保護カバーを傾斜させるように配置してもよい。この場合、例えば、光学部材は、保護カバーと保護カバーとは異なる光学部材を含み、少なくとも保護カバーの光軸が、視軸に対して、傾斜されて配置される構成としてもよい。このように、検眼ユニットの光学部材において、駆動しない光学部材である保護カバーを傾斜させることで、検眼ユニットからの反射光が検出器に検出されることをより抑制することができる。すなわち、検眼ユニットの光学部材の内、駆動がしない光学部材である保護カバーを傾斜させることで、容易な構成で、検眼ユニットからの反射光が検出器に検出されることをより抑制することができる。
【００４７】
なお、例えば、投光光学系の光軸を検眼ユニットにおける光学部材の光軸に対して傾斜させる構成において、投光光学系の光軸と、検眼ユニットにおける光学部材の光軸と、の双方の光軸を、被検眼が正面方向から投影される視標光束を見るために設定された視軸に対して傾斜させて配置する構成としてもよい。
【００４８】
例えば、軸外とする構成としては、投光光学系の光軸を検眼ユニットの光軸に対して偏心させることで、検眼ユニットの光軸に対して、投光光学系の光軸が軸外となるように、設定されるようにしてもよい。この場合、例えば、投光光学系の光軸と、検眼ユニットにおける光学部材の光軸と、の少なくとも一方の光軸を他方の光軸に対して偏心させて配置するようにしてもよい。すなわち、例えば、投光光学系の光軸と、検眼ユニットにおける光学部材の光軸と、の少なくとも一方を偏心させて配置することで、投光光学系の光軸と、検眼ユニットにおける光学部材の光軸と、が同軸とならないようにしてもよい。
【００４９】
なお、例えば、少なくとも一方の光軸を他方の光軸に対して偏心させて配置する構成において、投光光学系における測定光源の光軸と、検眼ユニットにおける光学部材の光軸と、の少なくとも一方の光軸を他方の光軸に対して偏心させて配置するようにしてもよい。なお、例えば、少なくとも一方の光軸を他方の光軸に対して傾斜させて配置する構成において、投光光学系が測定光源及び対物光学系を有する場合、対物光学系の光軸と、検眼ユニットにおける光学部材の光軸と、の少なくとも一方の光軸を他方の光軸に対して偏心させて配置するようにしてもよい。
【００５０】
なお、例えば、投光光学系の光軸を検眼ユニットにおける光学部材の光軸に対して偏心させる構成としては、投光光学系の少なくとも一部の光学部材の光軸を偏心させる構成としてもよい。例えば、投光光学系が測定光源と対物光学系を有する場合に、測定光源及び対物光学系の少なくとも一方を検眼ユニットにおける光学部材の光軸に対して偏心させて配置するようにしてもよい。
【００５１】
なお、例えば、検眼ユニットにおける光学部材の光軸を投光光学系の光軸に対して偏心させる構成としては、検眼ユニットにおける光学部材の少なくとも一部の光学部材の光軸を偏心させる構成としてもよい。例えば、検眼ユニットの光学部材が複数ある場合に、複数の光学部材の内、少なくとも一部の光学部材に対して、偏心させるようにしてもよい。
【００５２】
なお、例えば、投光光学系の光軸が検眼ユニットにおける光学部材の光軸に対して偏心している構成とは、検眼ユニットにおける光学部材の光軸に直交する直交面上において、投光光学系の光軸が直交面に対して直交した状態でシフトしている構成を示す。例えば、投光光学系の光軸を検眼ユニットにおける光学部材の光軸に対して偏心させることで、対物光学系からの測定光が検眼ユニットにおける光学部材へ入射する際の入射角度が変更される。例えば、上記のシフトの量（シフト量）としては、１ｍｍ〜１０ｍｍ等であってもよい。もちろん、シフト量（移動量）は、これに限定されず、任意のシフト量（例えば、０．５ｍｍｍ、１５ｍｍ等）で設定することができる。
【００５３】
例えば、投光光学系の光軸を検眼ユニットにおける光学部材の光軸に対して偏心させる構成において、投光光学系の光軸と、検眼ユニットにおける光学部材の光軸と、の一方の光軸が、被検眼が正面方向から投影される視標光束を見るために設定された視軸と、同軸である構成としてもよい。なお、上記構成において、同軸とは、略同軸を含む。
【００５４】
この場合、例えば、投光光学系の光軸は、被検眼が正面方向から投影される視標光束を見るために設定された視軸と、を同軸であって、投光光学系の光軸に対して、検眼ユニットにおける光学部材の光軸を偏心させて配置するようにしてもよい。すなわち、視軸に対して、検眼ユニットの光学部材の光軸を偏心させて配置するようにしてもよい。
【００５５】
また、この場合、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸を偏心させて配置するようにしてもよい。すなわち、視軸に対して、投光光学系の光軸を偏心させて配置するようにしてもよい。これによって、視軸に対して、検眼ユニットの光学部材を偏心させて配置する構成よりも、容易な構成で検眼ユニットの光学部材からの反射光が検出器に検出されることを抑制することができる。
【００５６】
なお、例えば、投光光学系の光軸を検眼ユニットにおける光学部材の光軸に対して偏心させる構成において、投光光学系の光軸と、検眼ユニットにおける光学部材の光軸と、の双方の光軸を、被検眼が正面方向から投影される視標光束を見るために設定された視軸に対して偏心させて配置する構成としてもよい。
【００５７】
なお、例えば、投光光学系の光軸を検眼ユニットにおける光学部材の光軸に対して軸外とするための構成を複数組み合わせるようにしてもよい。例えば、投光光学系の光軸を検眼ユニットにおける光学部材の光軸に対して偏心させる構成と、投光光学系の光軸を検眼ユニットにおける光学部材の光軸に対して傾斜させる構成と、の双方の構成を適用するようにしてもよい。
【００５８】
なお、上記の＜軸外構成＞に説明した構成については、受光光学系についても適用することができる。例えば、受光光学系を軸外とする構成において、受光光学系の光軸を検眼ユニットにおける光学部材の光軸に対して傾斜させることで、検眼ユニットにおける光学部材の光軸に対して、受光光学系の光軸が軸外となるように、設定されるようにしてもよい。また、例えば、受光光学系を軸外とする構成において、受光光学系の光軸を検眼ユニットにおける光学部材の光軸に対して偏心させることで、検眼ユニットにおける光学部材の光軸に対して、受光光学系の光軸が軸外となるように、設定されるようにしてもよい。
【００５９】
以下、本実施形態における自覚式検眼装置の各構成についてより詳細に説明する。
【００６０】
＜検眼ユニット＞
例えば、検眼ユニットは、視標光束の光学特性（例えば、球面度数、柱面度数（乱視度数）、乱視軸角度、偏光特性、及び収差量、等の少なくともいずれか）を変更する構成であればよい。例えば、視標光束の光学特性を変更する構成として、光学部材を制御する構成であってもよい。例えば、光学部材としては、球面レンズ、円柱レンズ、クロスシリンダレンズ、ロータリープリズム、波面変調素子、可変焦点レンズ等の少なくともいずれかを用いる構成であってもよい。もちろん、例えば、光学部材としては、上記記載の光学部材とは異なる光学部材を用いるようにしてもよい。例えば、光学部材としては、保護カバーであってもよい。例えば、保護カバーは、保護カバーと異なる光学部材を保護するために検査窓（例えば、検査窓５３）に配置される。
【００６１】
例えば、検眼ユニットとしては、被検眼の眼前に配置される光学部材を切り換えて配置する検眼ユニット（フォロプタ）であってもよい。例えば、検眼ユニットは、検査窓に光学部材を切り換え配置する左右一対のレンズ室ユニットを備える構成であってもよい。例えば、検眼ユニットは、複数の光学部材が同一円周上に配置されたレンズディスクと、レンズディスクを回転させるための駆動手段と、を有し、駆動手段（例えば、モータ）の駆動により光学部材を電気的に切り換える構成であってもよい。
【００６２】
＜測定光学系＞
例えば、測定光学系は、光学特性として、被検眼の眼屈折力を測定する光学系であってもよい。もちろん、例えば、測定光学系は、眼屈折力とは異なる光学特性を測定する光学系であってもよい。例えば、眼屈折力を測定する測定光学系としては、眼底にスポット状の測定光を照射し、その反射光をリング状に取り出し、リング状の眼底反射光を検出する構成であってもよい。この場合、例えば、測定光源は、測定光を出射し、対物光学系は、検眼ユニットの光学部材及び被検眼の瞳孔中心部を介して被検眼の眼底にスポット状の測定光を照射するようにしてもよい。また、例えば、受光光学系は、眼底から反射された眼底反射光を瞳孔周辺部及び検眼ユニットの光学部材を介させてリング状に取り出し、検出器によってリング状の眼底反射光を検出させるようにしてもよい。
【００６３】
また、眼屈折力を測定する測定光学系としては、瞳孔周辺部から眼底にリング状の測定光を投影し、瞳孔中心部から眼底反射光を取り出し、検出器にリング状の眼底反射像を検出させる構成であってもよい。この場合、例えば、測定光源は、測定光を出射し、対物光学系は、検眼ユニットの光学部材及び被検眼の瞳孔周辺部を介して被検眼の眼底にリング状の測定光を照射するようにしてもよい。また、例えば、受光光学系は、眼底から反射された眼底反射光を瞳孔中心部及び検眼ユニットの光学部材を介させてリング状に取り出し、検出器によってリング状の眼底反射光を検出させるようにしてもよい。
【００６４】
また、例えば、眼屈折力を測定する測定光学系としては、フォトレフラクション方式で測定を行う構成であってもよい。この場合、例えば、測定光学系としては、測定光を被検眼眼底に向けて照射し、被検眼眼底によって反射されて、瞳孔部分を介した眼底反射光から瞳孔部分の反射分布を検出する構成であってもよい。
【００６５】
なお、例えば、眼屈折力を測定する測定光学系としては、上記構成に限定されない。例えば、測定光学系としては、測定光を被検眼に照射し、その反射光を検出することで他覚的に光学特性を測定できる構成であればよい。例えば、測定光学系は、シャックハルトマンセンサーを備えた構成であってもよい。また、例えば、測定光学系は、被検眼にスリットを投影する位相差方式を有する構成であってもよい。
【００６６】
＜投影光学系＞
例えば、視標呈示部としては、ディスプレイを用いる構成であってもよい。例えば、ディスプレイとしては、ＬＣＤ（Liquid Crystal Display）、ＬＣＯＳ（Liquid Crystal On Silicon、有機ＥＬ（Electro Luminescence）等の少なくともいずれかであってもよい。例えば、ディスプレイには、ランドルト環視標等の検査視標等が表示される。
【００６７】
また、例えば、視標呈示部としては、ＤＭＤ（Digital Micromirror Device）であってもよい。一般的にＤＭＤは反射率が高く、明るい。このため、偏光を用いた場合でも液晶ディスプレイと比べ、視標光束の光量を維持できる。
【００６８】
また、例えば、視標呈示部としては、視標呈示用可視光源と、視標板と、を有する構成であってもよい。この場合、例えば、視標板は、回転可能なディスク板であり、複数の視標を持つ。複数の視標は、例えば、自覚測定時に使用される視力検査用視標、等を含んでいる。例えば、視力検査用視標は、視力値毎の視標（視力値０．１、０．３、・・・、１．５）が用意されている。例えば、視標板はモータ等によって回転され、視標は、被検眼に視標光束が導光される光路上で切換え配置される。もちろん、視標光束を投影する視標呈示部としては、上記構成以外の視標呈示部を用いてもよい。
【００６９】
例えば、投影光学系は、視標光束を被検眼に向けて投影する少なくとも１つ以上の光学部材等を有してもよい。例えば、投影光学系は、視標呈示部から出射された視標光束の像を光学的に所定の検査距離となるように被検眼に導光する投影用光学部材（例えば、凹面ミラー１３）を有するようにしてもよい。
【００７０】
例えば、投影光学系は、視標呈示部から出射された視標光束を光学部材の光軸に対してずらして入射させて、視標光束を被検眼に向けて投影する。この場合、例えば、視標呈示部の画面に対する法線方向を投影用光学部材の光軸に対して傾斜させて視標呈示部を配置するようにしてもよい。
【００７１】
例えば、投影用光学部材としては、凹面ミラー、レンズ等の少なくともいずれかであってもよい。例えば、投影光学系は、投影用光学部材が凹面ミラーである場合に、視標呈示部によって出射された視標光束を凹面ミラーに向けて反射させ、凹面ミラーによって反射された視標光束を筐体の内部から外部に向けて導光する反射部材（例えば、平面ミラー１２）を有するようにしてもよい。このような構成によって、投影光学系の部材をより少なくすることができ、自覚式検眼装置をより省スペース化することができる。もちろん、投影光学系は上記構成に限定されず、視標呈示部から出射された視標光束を投影用光学部材の光軸に対してずらして入射させて、視標光束を被検眼に向けて投影する構成であればよい。
【００７２】
例えば、反射部材としては、ミラー（例えば、全反射ミラー、ハーフミラー等）、プリズム等のいずれかであってもよい。もちろん、反射部材は、これに限定されず、視標光束を被検眼に向けて導光する部材であればよい。
【００７３】
例えば、本実施形態において、投影光学系は、左右一対に設けられた右眼用投影光学系と左眼用投影光学系を有するようにしてもよい。この場合、例えば、左右一対に設けられた視標呈示部を用いるようにしてもよい。例えば、右眼用投影光学系と左眼用投影光学系は、右眼用投影光学系を構成する部材と左眼用投影光学系を構成する部材とが、同一の部材によって構成されていてもよい。また、例えば、右眼用投影光学系と左眼用投影光学系は、右眼用投影光学系を構成する部材と左眼用投影光学系を構成する部材とで少なくとも一部の部材が異なる部材によって構成されていてもよい。例えば、右眼用投影光学系と左眼用投影光学系は、右眼用投影光学系を構成する部材と左眼用投影光学系を構成する部材とで少なくとも一部の部材が兼用されている構成であってもよい。また、例えば、右眼用投影光学系と左眼用投影光学系は、右眼用投影光学系を構成する部材と左眼用投影光学系を構成する部材とが、別途それぞれ設けられている構成であってもよい。
【００７４】
＜保持手段＞
例えば、自覚式検眼装置は、検眼ユニットを保持する保持手段（例えば、保持アーム３５）を備えていてもよい。例えば、自覚式検眼装置は、筐体と検眼ユニットが一体的に連結されていてもよい。一例として、例えば、保持手段は、筐体と検眼ユニットは一体的に連結する構成であってもよい。
【００７５】
なお、例えば、自覚式検査装置は、検査位置において、検眼ユニットの検査窓と、筐体の呈示窓（例えば、呈示窓３）と、が対向して配置されている構成であってもよい。
【００７６】
例えば、自覚式検眼装置は、筐体と検眼ユニットが一定的に連結された構成でなく、近接する構成であってもよい。例えば、近接して配置されている構成とは、検眼ユニットと筐体との間に、検者の頭が入りこむことができない距離であってもよい。例えば、近接して配置されている構成とは、検眼ユニットと筐体との間の距離が１ｍ以下（例えば、１ｍ、５００ｍｍ、１３５ｍｍ、７０ｍｍ等）であってもよい。もちろん、例えば、近接して配置されている構成とは、検眼ユニットと筐体との間の距離が１ｍよりも離れている構成であってもよい。
【００７７】
＜補正手段＞
なお、例えば、本実施形態において、検眼ユニットの光学部材を介して測定された測定光学系の測定結果を補正するようにしてもよい。例えば、自覚式検眼装置は、光学部材による視標光束の光学特性の変化量に基づいて、測定光学系によって測定される被検眼の光学特性を補正する補正手段を備えるようにしてもよい。これによって、例えば、測定光を検眼ユニットを介して被検眼に照射し、測定結果を得る場合に、検眼ユニットに設定されている光学部材に応じて、測定結果の光学特性が変化してしまった場合であっても、変化を考慮して測定結果を取得することができる。すなわち、検眼ユニットに設定された光学部材によらず、良好な測定結果を取得することができる。
【００７８】
例えば、検眼ユニットにおいて、所定の球面度数の補正が行われていた場合に、測定された他覚の測定結果における球面度数の値と、検眼ユニットの光学部材によって変化させた球面度数の値と、を差分処理することによって、他覚の測定結果における球面度数の値を補正するようにしてもよい。なお、上記構成においては、球面度数を例に挙げているがこれに限定されない。例えば、乱視度数、乱視軸角度等を補正するようにしてもよい。もちろん、上記とは異なる光学特性（例えば、プリズム等）を補正するようにしてもよい。
【００７９】
例えば、検眼ユニットによる視標光束の光学特性の変化量の情報は、検者が操作手段（例えば、コントローラ８１）を操作することによって、自覚式検眼装置に入力された視標光束の光学特性の変化量の情報を補正手段が受信することで取得される構成であってもよい。また、例えば、例えば、検眼ユニットによる視標光束の光学特性の変化量の情報は、補正手段が、視標光束の光学特性の変化量の情報を自動的に受信することで取得される構成であってもよい。
【００８０】
＜実施例＞
以下、本実施例における自覚式検眼装置の構成について説明する。なお、本実施例における自覚式検眼装置は、投影光学系と、筐体と、を備える構成を例に挙げて説明する。例えば、図１は、自覚式検眼装置１を正面側から示す斜視図である。例えば、図２は、本実施例に係る自覚式検眼装置１を背面側から示す斜視図である。なお、本実施例においては、後述する呈示窓３が位置する側を自覚式検眼装置１の正面、後述する観察窓４１が位置する側を自覚式検眼装置１の背面として説明する。例えば、図１（ａ）は、自覚式検眼装置１を正面の左方側から示す斜視図である。また、例えば、図１（ｂ）は、自覚式検眼装置１を正面の右方側から示す斜視図である。
【００８１】
例えば、自覚式検眼装置１は、筐体２、呈示窓３、保持ユニット４、第１操作部８、第２操作部９、投影光学系１０、観察ユニット４０、検眼ユニット５０、測定光学系１００等を備える。
【００８２】
例えば、本実施例においては、被検者が筺体２の正面に対向する。例えば、筐体２は、その内部に投影光学系１０を収納する。例えば、呈示窓３は、被検者眼（以下、被検眼と記載）に検査視標を呈示するために用いる。例えば、呈示窓３は、投影光学系１０における視標光束を透過する。このため、被検眼には、呈示窓３を介した視標光束が投影される。例えば、呈示窓３は、埃などの侵入を防ぐために透明パネルで塞がれている。例えば、透明パネルとしては、アクリル樹脂やガラス板等の透明な部材を用いることができる。
【００８３】
なお、検眼ユニット５０が、呈示窓３と被検眼との間に配置されている場合、被検眼には、呈示窓３及び検眼ユニット５０の検査窓５３を介した視標光束が投影される。
【００８４】
例えば、保持ユニット４は、検眼ユニット５０を保持する。例えば、保持ユニット４によって、検眼ユニット５０が、退避位置あるいは検査位置に支持される。例えば、本実施例における退避位置は、図１に示すように、筺体２の上部に検眼ユニット５０が上昇した状態である。また、本実施例における検査位置は、図１０に示すように、筺体２の正面に検眼ユニット５０が下降した状態である。このような退避位置と検査位置の切り換えは、保持ユニット４が有する図示無き移動ユニットによって、保持ユニット４の図示無き保持アームが上下移動されることによって行われる。
【００８５】
＜第１操作部及び第２操作部＞
以下、第１操作部８及び第２操作部９について説明する。例えば、第１操作部８は、上下移動スイッチ（検眼ユニット５０の移動スイッチ）である。また、例えば、第２操作部９は、上下移動スイッチ（検眼ユニット５０の移動スイッチ）である。すなわち、本実施例において。第１操作部８と第２操作部９は、同一の操作をするための操作部である。例えば、第１操作部８又は第２操作部９が操作されることによって、検眼ユニット５０を被検眼の眼前の検査位置と、退避位置と、の間で移動させることができる。
【００８６】
例えば、第１操作部８は、筐体２の左側面に配置されている。例えば、第２操作部９は、筐体２の右側面に配置されている。例えば、第１操作部と第２操作部は、左右側面における上方に配置されている。なお、本実施例においては、例えば、第１操作部と第２操作部は、筐体２の中心を基準として、左右対称な位置に配置されている。
【００８７】
なお、本実施例において、例えば、第１操作部８と第２操作部９は、同一の形状を有する操作部である。例えば、第１操作部８と第２操作部９とで同一の形状であるため、第１操作部８又は第２操作部９の一方を操作する際に他方と同様の操作で、自覚式検眼装置１を操作することができるため、検者が誤った操作を行う可能性を抑制でき、操作しやすくなる。
【００８８】
なお、本実施例においては、検眼ユニット５０を被検眼の眼前の検査位置と、退避位置と、の間で移動させるための操作部として、第１操作部８と第２操作部９が設けられる構成としたがこれに限定されない。例えば、検眼ユニット５０を被検眼の眼前の検査位置と、退避位置と、の間で移動させるための操作部としては、少なくとも1つ以上の操作部を有する構成であってもよい。一例として、１つの操作部を用いる場合、操作部は、自覚式検眼装置１の左右側から操作が可能な位置に配置されるようにしてもよい。
【００８９】
＜投影光学系＞
以下、投影光学系１０について説明する。例えば、図３は、投影光学系１０を左側面（図１における矢印方向Ｃ１）からみた図である。図３（ａ）は、遠用検査時における光学配置を示している。図３（ｂ）は、近用検査時における光学配置を示している。例えば、投影光学系１０は、視標呈示部を有し、視標呈示部から出射された視標光束を被検眼Ｅに向けて投影する。例えば、本実施例において、視標呈示部として、ディスプレイ(例えば、ディスプレイ１１)が用いられる。例えば、投影光学系１０は、ディスプレイ１１、平面ミラー１２、凹面ミラー１３、遠近切換部２０等を備える。
【００９０】
例えば、ディスプレイ１１には、ランドルト環視標や固視標等の検査視標が表示される。例えば、ディスプレイ１１の表示は、後述する制御部８０によって制御される。例えば、ディスプレイとしては、ＬＣＤ（Liquid Crystal Display）、有機ＥＬ（Electro Luminescence）、プラズマディスプレイ等を用いてもよい。
【００９１】
例えば、図３（ａ）に示す遠用検査時には、ディスプレイ１１の画面が筺体２の奥側を向き、視標光束が奥方向に向けて出射される。なお、視標光束は、ディスプレイから水平方向（Ｚ方向）に出射されてもよいし、斜め方向（ＹＺ方向）に出射されてもよい。例えば、図３（ｂ）に示す近用検査時には、ディスプレイ１１の画面が上側を向き、視標光束が上方向に向けて出射される。なお、視標光束は、ディスプレイから垂直方向（Ｙ方向）に出射されてもよいし、斜め方向（ＹＺ方向）に出射されてもよい。このようにして、ディスプレイ１１からの視標光束は被検眼Ｅに向けて投影される。
【００９２】
例えば、平面ミラー１２は、ディスプレイ１１からの視標光束を反射させ、凹面ミラー１３に導光する。また、例えば、平面ミラー１２は、ディスプレイ１１からの視標光束を反射させ、被検眼Ｅに導光する。例えば、平面ミラー１２は、その下部（図３における平面ミラー１２の実線部）にのみミラーコートを施しており、上部（図３における平面ミラー１２の点線部）にはミラーコートを施していない。
【００９３】
このため、本実施例では平面ミラー１２の上部が透明な構成となっている。例えば、近用検査時における平面ミラー１２の焦点距離は、ディスプレイから被検眼Ｅまでの光学距離が４０ｃｍとなるように設計されている。なお、本実施例においては、視標光束を反射させることが可能であればよく、平面ミラーを用いる構成に限定されない。例えば、反射部材であればとよい。この場合、例えば、プリズム、ビームスプリッタ、ハーフミラー等を用いる構成であってもよい。
【００９４】
例えば、凹面ミラー１３は、ディスプレイ１１からの視標光束を平面ミラー１２に向けて反射する。例えば、凹面ミラー１３は、ディスプレイ１１に表示された検査視標の呈示距離を遠用検査距離に設定する。例えば、凹面ミラー１３の焦点距離は、ディスプレイ１１から被検眼Ｅまでの光学距離が５ｍとなるように設計されている。なお、本実施例においては、凹面ミラー１３を用いる構成に限定されない。例えば、視標光束を反射することのできる反射部材であってもよい。この場合、例えば、非球面ミラーや自由曲面ミラー等を用いる構成であってもよい。また、例えば、レンズを用いる構成であってもよい。この場合、例えば、ディスプレイ１１からレンズを介して、被検眼Ｅに視標光束が投影されることで、レンズによって、ディスプレイ１１から被検眼Ｅまでの光学距離が５ｍとなるように設計されている構成であってもよい。
【００９５】
例えば、ビームスプリッタ１５０は、平面ミラー１２によって反射されたディスプレイ１１からの視標光束を透過し、被検眼Ｅに導く。また、例えば、ビームスプリッタ１５０は、後述する測定光学系１００の測定光源１３０から出射された測定光を反射し、被検眼Ｅへ導光する。
【００９６】
例えば、図３（ａ）に示す遠用検査時において、被検者の被検眼Ｅには、ディスプレイ１１から出射し、平面ミラー１２、凹面ミラー１３、平面ミラー１２、ビームスプリッタ１５０の順に光学部材を経由した視標光束が投影される。すなわち、ディスプレイ１１から出射した視標光束は、光軸Ｌ１を通って平面ミラー１２に入射すると、光軸Ｌ２方向に反射されて、凹面ミラー１３へと向かう。この視標光束が凹面ミラー１３に入射すると、光軸Ｌ３方向に反射されて、平面ミラー１２へと向かう。さらに、視標光束が平面ミラー１２に入射すると、光軸Ｌ４方向に反射されて、ビームスプリッタ１５０を通過して、被検者の被検眼Ｅに投影される。また、例えば、図３（ｂ）に示す近用検査時において、被検者の被検眼Ｅには、ディスプレイ１１から出射し、平面ミラー１２に反射された視標光束がビームスプリッタ１５０を通過して投影される。すなわち、ディスプレイ１１から出射した視標光束は、光軸Ｌ３を通って平面ミラー１２に入射し、光軸Ｌ４方向に反射され、ビームスプリッタ１５０を介して、被検者の被検眼Ｅに投影される。例えば、投影光学系１０は、このようにして、筺体２の内部から外部へと視標光束を射出する。
【００９７】
例えば、遠近切換部２０は、遠用検査時における遠用検査光路と近用検査時における近用検査光路とを切り換えるために用いられる。例えば、遠用検査光路は、ディスプレイ１１から出射された視標光束を凹面ミラー１３を介して被検眼に向けて投影することで、遠用検査距離にて視標光束を前記被検眼に投影する光路である。また、例えば、近用検査光路は、ディスプレイ１１からの視標光束の像が凹面ミラー１３を介すことなく近用検査距離にて被検眼に投影する光路である。
【００９８】
例えば、遠近切換部２０は、遠用検査時と近用検査時とにおいて、ディスプレイ１１の位置を変更する。例えば、遠近切換部２０は、保持部２１、ギヤ２２、モータ２３等を備える。例えば、保持部２１は、ディスプレイ１１を保持する。例えば、ギヤ２２は、ウォーム部２４とホイール部２５を有する。例えば、ウォーム部２４とホイール部２５は、互いが噛み合うギヤで形成されている。例えば、ウォーム部２４にはモータ２３が連結されており、ホイール部２５には保持部２１が連結されている。例えば、モータ２３が駆動することでウォーム部２４が回転し、これに伴ってホイール部２５が矢印方向に回転する。これによって、ディスプレイ１１を保持部２１とともに一体的に移動させることが可能であり、ディスプレイ１１の画面に表示される検査視標の呈示位置を、遠用検査時と近用検査時とで切り換えることができる。なお、ギヤ２２及びモータ２３は筐体２の側壁に配置されており、ディスプレイ１１から被検眼Ｅに向かう視標光束を妨げない位置に配置されている。
【００９９】
なお、本実施例では、投影光学系１０の光軸Ｌ３及び光軸Ｌ４が、遠用検査時と近用検査時において同軸となる構成を例に挙げて説明したがこれに限定されない。例えば、本実施例では、被検眼Ｅに視標光束を導光することができればよく、遠用検査時と近用検査時で別々の光路を通過する構成であってもよい。
【０１００】
＜測定光学系＞
図４は、測定光学系１００の構成について説明する図である。以下、図３、図４を用いて測定光学系１００について説明する。例えば、測定光学系（他覚式測定光学系）１００は、被検眼の光学特性を他覚的に測定する。例えば、被検眼の光学特性としては、眼屈折力、眼軸長、角膜形状等が挙げられる。なお、本実施形態においては、被検眼の眼屈折力を測定する他覚式測定手段を例に挙げて説明する。
【０１０１】
例えば、測定光学系１００は、投光光学系１０５、受光光学系１２０を備える。なお、本実施形態において、例えば、投光光学系１０５は、測定光源１３０、対物光学系１１０を備える。もちろん、例えば、投光光学系１０５は、測定光源１３０のみで構成されていてもよい。例えば、受光光学系１２０は、受光用対物光学系１４０、ＣＣＤ等の検出器１２１を備える。
【０１０２】
例えば、本実施例において、測定光学系１００は、測定光源１３０から測定光を出射し、対物光学系１１０を介して、被検眼Ｅの瞳孔中心部を介して被検眼Ｅの眼底にスポット状の測定光を投影する。例えば、測定光学系１００は、受光用対物光学系１４０によって、眼底から反射された眼底反射光を瞳孔周辺部を介してリング状に取り出し、リング状の眼底反射像を検出器１２１によって検出する。なお、測定光学系１００は上記のものに限らず、測定光源から出射された測定光を被検者眼眼底に向けて投光する投光光学系と、測定光の眼底での反射によって取得される反射光を検出器によって受光する受光光学系と、を有する測定光学系であればよい。
【０１０３】
例えば、対物光学系１１０は、投光光学系１０５の光軸Ｌ５上に配置された、リレーレンズ１１１、ホールミラー１１２、対物レンズ１１３を含む。例えば、測定光源１３０も投光光学系１０５の光軸Ｌ５上に配置される。例えば、測定光源１３０は被検眼眼底と共役な関係となっており、ホールミラー１１２のホール部は瞳孔と共役な関係となっている。
【０１０４】
例えば、受光用対物光学系１４０は、対物光学系１１０の対物レンズ１１３、ホールミラー１１２を共用し、ホールミラー１１２の反射方向の受光光学系１２０の光軸Ｌ６に配置されたリレーレンズ１２６、ミラー１２５、受光絞り１２４、コリメータレンズ１２３、リングレンズ１２２を含む。例えば、受光絞り１２４及び検出器１２１は、被検眼眼底と共役な関係となっている。例えば、リングレンズ１２２は、リング状に形成されたレンズ部と、レンズ部以外の領域に遮光用のコーティングを施した遮光部と、から構成され、被検眼の瞳孔と光学的に共役な位置関係となっている。例えば、検出器１２１からの出力は、制御部８０に入力される。本実施例において、例えば、受光光学系１２０の光軸Ｌ６がホールミラー１１２によって、投光光学系１０５の光軸Ｌ５と同軸とされる。もちろん、例えば、受光光学１２０の光軸Ｌ６と、投光光学系１０５の光軸Ｌ５とが同軸でない構成であってもよい。
【０１０５】
上記構成において、測定光源１３０から出射された測定光は、リレーレンズ１１１、ホールミラー１１２、対物レンズ１１３を経て、ビームスプリッタ１５０に照射される。例えば、ビームスプリッタ１５０に照射された測定光は、ビームスプリッタ１５０によって被検眼Ｅの方向へ反射される。被検眼Ｅの方向へ反射された測定光は、検眼ユニット５０の検眼窓５３及び検眼窓に配置される光学部材（例えば、後述するレンズディスク５７の光学部材）を介して、被検眼Ｅの眼底上にスポット状の点光源像を形成する。すなわち、測定光は、投光光学系１０５の光軸Ｌ５に沿って被検眼に照射される。
【０１０６】
例えば、被検眼眼底に照射された点光源像は反射・散乱されて被検眼Ｅを射出し、ビームスプリッタ１５０によって反射され、対物レンズ１１３によって集光される。対物レンズ１１３によって集光された反射光は、ホールミラー１１２によって、リレーレンズ１２６方向に反射され、リレーレンズ１２６、ミラー１２５を介して、受光絞り１２４の位置に再び集光される。受光絞り１２４に集光された反射光は、コリメータレンズ１２３及びリングレンズ１２２によって、検出器１２１にリンク状の像を結像させる。
【０１０７】
なお、測定光学系１００の配置位置としては、任意の位置の配置することができる。例えば、測定光学系１００は、筐体２の内部の任意の位置に配置するようにしてもよい。この場合、例えば、光軸Ｌ４上で、平面ミラー１２を透過した位置に測定光学系１００が配置されるようにしてもよい。この場合、平面ミラー１２の代わりに、測定光学系１００からの測定光を透過し、投影光学系１０からの視標光束を反射させる光学部材（例えば、ビームスプリッタ等）を配置するようにすればよい。
【０１０８】
また、例えば、測定光学系１００は、筐体２の外部の任意の位置に配置するようにしてもよい。例えば、測定光学系１００は、検眼ユニット５０に配置されるようにしてもよい。この場合、例えば、筐体２と検眼ユニット５０との間の位置で検眼ユニット５０に配置されるようにしてもよい。例えば、検眼ユニット５０に配置される場合に、検眼ユニット５０の位置調整に合わせて、容易に測定光学系１００の位置の調整を行うことができる。一例として、例えば、検眼ユニット５０の左右の検査窓５３それぞれに測定光学系１００が設けられ、検眼ユニット５０において、左右の検査窓５３の位置を、被検者の瞳孔間距離に応じて変更させた場合に、検眼ユニット５０の検査窓５３の移動に伴って（移動と一定的に）、測定光学系１００も移動されるため、容易に調整を行うことができる。
【０１０９】
なお、例えば、本実施例において、投光光学系１０５の光軸Ｌ５（本実施例においては、測定光源１３０、対物光学系１１０の光軸）と、受光光学系１２０の光軸Ｌ５を光路の途中で同軸となるように配置されているが、これに構成に限定されない。
【０１１０】
例えば、投光光学系１０５と、受光光学系１２０とが、別途異なる位置に配置されてそれぞれ異なる光軸で測定が行われるようにしてもよい。この場合、例えば、投光光学系１０５と、受光光学系１２０とが、筐体２の内部で異なる位置に配置されてもよい。また、この場合、例えば、投光光学系１０５と、受光光学系１２０とが、筐体２の外部で異なる位置に配置されてもよい。また、この場合、例えば、投光光学系１０５と、受光光学系１２０との一方が、筐体２の内部に配置され、他方が筐体２の外部に配置されてもよい。
【０１１１】
＜観察ユニット＞
以下、観察ユニット４０について説明する。図５は、観察ユニット４０について説明するための図である。例えば、本実施例における観察ユニット４０は、呈示窓３を介して、後述する検眼ユニット５０と被検眼Ｅとの位置関係を観察するために用いる。例えば、本実施例において、観察ユニット４０は、観察窓４１、遮蔽部４２、カバー４３、検出器（検出手段）４５等を備える。なお、観察ユニット４０としては、少なくとも観察窓４１を備える構成であってもよい。
【０１１２】
例えば、観察窓４１は、検眼ユニット５０と被検眼Ｅとの位置関係を、筐体２の外部から呈示窓３を介して観察するために用いる。例えば、本実施例における観察窓４１は、検者眼ＯＥから被検眼Ｅの瞳孔位置を確認することが可能な位置に配置されている。
例えば、観察窓４１を検者が覗き込んだ場合に、検者の視線を平面ミラー１２によって遮らないように、検者の視線が通過する領域において、平面ミラー１２が透明に形成されている。  例えば、遮蔽部４２は、投影光学系１０からの視標光束が観察窓４１に入ること抑制する。例えば、本実施例においては、遮蔽部４２は、平面ミラー１２における透明部とミラー部との境界に配置されている。
【０１１３】
例えば、カバー４３はヒンジ４４によって筺体２に固定されており、観察窓４１に対して開閉することができる。例えば、カバー４３は、検者が図示なきノブを押し引きすることで開閉可能である。
【０１１４】
例えば、検出器４５は、観察ユニット４０におけるカバー４３の開閉を検出する。例えば、検出器４５はフォトインタラプタ等の光センサを用いて構成される。すなわち、本実施例における検出器４５は、発光素子と受光素子が対向する凸部４５ａを有し、凹部４５ｂにはカバー４３に設けられた突出部４６が嵌合する。例えば、検出器４５は、凹部４５ｂに突出部４６が嵌合することによって発光素子からの光が遮光されると、カバーが閉じた状態であることを検出する。また、例えば、検出器４５は、凹部４５ｂから突出部４６が離れ、発光素子からの光が受光素子に受光されると、カバーが開いた状態であることを検出する。
【０１１５】
＜検眼ユニット＞
以下、検眼ユニット５０について説明する。例えば、検眼ユニット５０は、筐体２と近接している（図３参照）。例えば、本実施例においては、検眼ユニット５０における検査窓５３（図３点線部）から、筐体２に配置された呈示窓３までの距離Ｗ（図３参照）が１３５ｍｍ程度に設計されている。なお、検査窓５３から呈示窓３までの距離Ｗは、本実施例に限定されない。例えば、距離Ｗが検者の頭長よりも短い場合において、検眼ユニット５０と筐体２との間に、検者が頭を入り込ませることができなくなるため、検眼ユニット５０と被検眼Ｅとの位置関係を観察することが困難となる。このため、距離Ｗが検者の頭長よりも短い場合において、観察窓４１を効果的に用いることができる。
【０１１６】
例えば、検査窓５３には、光学部材が配置される。本実施例においては、光学部材として、保護カバー６５を有する。例えば、保護カバー６５は、検査窓５３に配置される他の光学部材を保護するために用いられる。例えば、保護カバー６５は、検眼ユニット５０の検眼窓５３において、被検眼Ｅ側と筐体２側とにそれぞれ固定配置される。
【０１１７】
例えば、図６は、検眼ユニット５０を示す図である。例えば、検眼ユニット５０は、額当て５１、左右一対のレンズ室ユニット５２、検査窓５３、駆動部５４、駆動部５５、移動ユニット５６、角膜位置照準光学系６０等を備える。例えば、額当て５１は被検者の額に当接し、被検眼Ｅと検眼ユニット５０との距離を一定に保つために用いられる。
【０１１８】
例えば、レンズ室ユニット５２は、検査窓５３に光学部材を切り換えて配置する。例えば、レンズ室ユニット５２の内部には、レンズディスク５７が備えられている。レンズディスク５７は、同一円周上に多数の光学部材（球面レンズ、円柱レンズ、分散プリズム等）を配置する。例えば、レンズディスク５７は、駆動部５４（アクチュエータ等）によって回転制御される。これによって、検者が所望する光学部材が検査窓５３に配置される。例えば、検査窓５３に配置された光学部材は、駆動部５５（モータやソレノイド等）によって回転制御される。これによって、光学部材は検者が所望する回転角度で検査窓５３に配置される。
【０１１９】
例えば、レンズディスク５７は、１枚のレンズディスク、または複数枚のレンズディスクからなる。例えば、複数枚のレンズディスク（レンズディスク群）を備える場合には、各レンズディスクに対応する駆動部がそれぞれ設けられる。例えば、レンズディスク群の各レンズディスクは、開口（または０Ｄのレンズ）及び複数の光学部材を備える。各レンズディスクの種類としては、度数の異なる複数の球面レンズを有する球面レンズディスク、度数の異なる複数の円柱レンズを有する円柱レンズディスク、補助レンズディスクが代表的である。また、本実施例におけるレンズディスクは、十字線が付された位置合わせ用のレンズを備える。例えば、補助レンズディスクには、赤フィルタ／緑フィルタ、プリズム、クロスシリンダレンズ、偏光板、マドックスレンズ、オートクロスシリンダレンズの少なくともいずれかが配置される。なお、レンズディスクの詳細な構成については、特開２００７−６８５７４号公報及び特開２０１１−７２４３１号公報を参考にされたい。
【０１２０】
例えば、移動ユニット５６は、レンズ室ユニット５２の間隔を調整する。例えば、左右レンズ室ユニットの間隔は、スライド機構を有する駆動部５８によって調整される。これによって、検査窓５３の間隔を、被検眼のＰＤに合わせて変更することができる。また、移動ユニット５６は、左右レンズ室ユニットの輻輳角（内寄せ角）を調整する。例えば、左右検眼ユニットの輻輳角は、輻輳機構を有する駆動部５９によって調整される。なお、移動ユニットの詳細な構成については、特開２００４−３２９３４５号公報を参考にされたい。
【０１２１】
なお、検眼ユニット５０は、上記構成に限定されない。例えば、検眼ユニット５０は、視標光束の光学特性（例えば、球面度数、円柱度数、円柱軸、偏光特性、及び収差量、等の少なくともいずれか）を変更する構成であればよい。例えば、視標光束の光学特性を変更する構成として、光学部材を制御する構成であってもよい。例えば、波面変調素子、焦点可変レンズ等を用いる構成であってもよい。
【０１２２】
例えば、本実施例において、距離変更用光学部材としては、検眼ユニット５０のレンズディスク５７（レンズディスク５７の光学部材）が用いられる。すなわち、例えば、本実施例において、検眼ユニット５０の構成が、検査距離を変更するための距離変更用光学部材と、視標光束の光学特性を変化するための矯正手段と、を兼用する。この場合、例えば、駆動部５４と駆動部５５との少なくとも一方が駆動されることで、レンズディスク５７の駆動が行われる。つまり、駆動部５４と駆動部５５との少なくとも一方が駆動されることで、距離変更用光学部材が駆動される。
【０１２３】
なお、本実施例においては、検眼ユニット５０の構成が距離変更用光学部材として兼用される構成を例に挙げて説明するがこれに限定されない。別途、専用の距離変更用光学部材が設けられてもよい、投影光学系１０における別の光学部材が兼用されるようにしてもよい。なお、本実施例において、例えば、距離変更用光学部材は、平面ミラー１２と被検眼との間に配置される構成を例に挙げる。もちろん、距離変更用光学部材の配置位置は、検査距離を光学的に変更できる位置であれば、上記位置に限定されない。
【０１２４】
＜軸外構成＞
ここで、例えば、本実施例において、投光光学系１０５の光軸Ｌ５及び受光光学系１２０の光軸Ｌ６は、検眼ユニット５０の光学部材の光軸に対して軸外となるように設定されている。例えば、本実施例において、投光光学系１０５の光軸Ｌ５は、検眼ユニット５０の検査窓５３に配置されるレンズディスク５７の光学部材の光軸に対して、軸外となるように設定されている。また、例えば、本実施例において、受光光学系１２０の光軸Ｌ６は、検眼ユニット５０の検査窓５３に配置されるレンズディスク５７の光学部材の光軸に対して、軸外となるように設定されている。また、本実施例において、投光光学系１０５の光軸Ｌ５及び受光光学系１２０の光軸Ｌ６は、光路の途中から同軸となるように設置されている。
【０１２５】
なお、本実施例においては、投光光学系１０５の光軸Ｌ５及び受光光学系１２０の光軸Ｌ６は、検眼ユニット５０の光学部材の光軸に対して軸外となるように設定されているがこれに限定されない。例えば、投光光学系１０５の光軸Ｌ５及び受光光学系１２０の光軸Ｌ６の少なくとも一方が、検眼ユニット５０の光学部材の光軸に対して軸外となるように設定されている構成であればよい。この場合、例えば、投光光学系１０５の光軸Ｌ５及び受光光学系１２０の光軸Ｌ６の内、投光光学系１０５の光軸Ｌ５のみが、検眼ユニット５０の光学部材の光軸に対して軸外となるように設定されている構成であってもよい。また、この場合、例えば、投光光学系１０５の光軸Ｌ５及び受光光学系１２０の光軸Ｌ６の内、受光光学系１２０の光軸Ｌ６のみが、検眼ユニット５０の光学部材の光軸に対して軸外となるように設定されている構成であってもよい。また、この場合、例えば、投光光学系１０５の光軸Ｌ５及び受光光学系１２０の光軸Ｌ６の双方が、検眼ユニット５０の光学部材の光軸に対して軸外となるように設定されている構成であってもよい。なお、投光光学系１０５の光軸Ｌ５及び受光光学系１２０の光軸Ｌ６の双方が、検眼ユニット５０の光学部材の光軸に対して軸外となるように設定されている場合に、投光光学系１０５の光軸Ｌ５及び受光光学系１２０の光軸Ｌ６は、同軸としてもよいし、異なる軸としてもよい。また、同軸とする場合に、完全に同軸となる構成であってもよいし、光路の途中で同軸となる構成であってもよい。
【０１２６】
例えば、図３に示されるように、本実施例において、例えば、投光光学系１０５の光軸Ｌ５及び受光光学系１２０の光軸Ｌ６が、検眼ユニット５０の検査窓５３に配置されるレンズディスク５７の光学部材の光軸に対して傾斜されて配置される。これによって、投光光学系１０５の光軸Ｌ５及び受光光学系１２０の光軸Ｌ６が、検眼ユニット５０の検査窓５３に配置されるレンズディスク５７の光学部材の光軸に対して軸外となるように設定されている。
【０１２７】
なお、本実施例においては、投光光学系１０５の光軸Ｌ５に加え、受光光学系１２０の光軸Ｌ６についても、検眼ユニット５０の光学部材の光軸に対して傾斜される構成を例に挙げて説明しているがこれに限定されない。例えば、投光光学系１０５の光軸Ｌ５及び受光光学系１２０の光軸Ｌ６の少なくとも一方が、検眼ユニット５０の光学部材の光軸に対して傾斜して配置される構成であればよい。一例として、例えば、投光光学系１０５の光軸Ｌ５が、検眼ユニット５０の光学部材の光軸と同軸とするようにしてもよい。また、一例として、例えば、受光光学系１２０の光軸Ｌ６が、検眼ユニット５０の光学部材の光軸と同軸とするようにしてもよい。
【０１２８】
なお、本実施例においては、測定光源１３０及び対物光学系１１０が投光光学系１０５の光軸Ｌ５上に配置されている。すなわち、本実施例において、測定光源１３０の光軸と、対物光学系１１０の光軸と、は光軸Ｌ５として示される。また、検出器１２１及び受光用対物光学系１４０が受光光学系１２０の光軸Ｌ６上に配置されている。すなわち、本実施例において、検出器１２１の光軸と、受光用対物光学系１４０の光軸と、は光軸Ｌ５として示される。
【０１２９】
なお、本実施例においては、投光光学系１０５としては、測定光源１３０と、対物光学系１１０と、を備え、測定光源１３０の光軸及び対物光学系１１０の光軸が検眼ユニット５０の光学部材の光軸に対して軸外となるように設定されている構成を例に挙げているがこれに限定されない。例えば、投光光学系１０５として、測定光源１３０のみを備える場合には、測定光源１３０の光軸が検眼ユニット５０の光学部材の光軸に対して軸外となるように設定されることで、投光光学系１０５の光軸Ｌ５が検眼ユニット５０の光学部材の光軸に対して軸外となるように設定されてもよい。また、例えば、投光光学系１０５として、測定光源１３０と、対物光学系１１０と、を備える場合に、測定光源１３０と、対物光学系１１０と、の一方が検眼ユニット５０の光学部材の光軸に対して軸外となるように設定されることで、投光光学系１０５の光軸Ｌ５が検眼ユニット５０の光学部材の光軸に対して軸外となるように設定されてもよい。
【０１３０】
なお、本実施例においては、検眼ユニット５０の検査窓５３に配置されるレンズディスク５７の光学部材の光軸は、投影光学系１０の光軸Ｌ４と同軸となるように設定されている。つまり、検眼ユニット５０の検査窓５３に配置されるレンズディスク５７の光学部材の光軸（検眼ユニット５０の光学部材の光軸）は、被被検眼が正面方向から投影される投影光学系１０からの視標光束を見るために設定された視軸と同軸となっており、光軸Ｌ４で示される。
【０１３１】
本実施例において、例えば、投光光学系１０５の光軸Ｌ５は、光軸Ｌ４（視軸）に対して、光軸Ｌ５が軸外となるように、検眼ユニット５０の検査窓５３に配置されるレンズディスク５７の光学部材の光軸（本実施例においては、光軸Ｌ４）に対して、投光光学系１０５（本実施例においては、測定光源１３０及び対物光学系１１０）の光軸Ｌ５が傾斜して配置されている。また、本実施例において、例えば、受光光学系１２０の光軸Ｌ６は、光軸Ｌ４（視軸）に対して、光軸Ｌ６が軸外となるように、検眼ユニット５０の検査窓５３に配置されるレンズディスク５７の光学部材の光軸に対して、受光光学系１２０の光軸Ｌ６が傾斜して配置されている。なお、例えば、投光光学系１０５の光軸Ｌ５及び受光光学系１２０の光軸Ｌ６の一方を視軸（光軸Ｌ４）と同軸とし、投光光学系１０５の光軸Ｌ５と受光光学系１２０の光軸Ｌ６との少なくとも一方の光軸に対して、検眼ユニット５０の光学部材の光軸を傾斜させるようにしてもよい。
【０１３２】
なお、本実施例においては、軸外とする構成として、検眼ユニット５０の光学部材の光軸（光軸Ｌ４）に対して、投光光学系１０５の光軸Ｌ５及び受光光学系１２０の光軸Ｌ６を傾斜させる構成を例に挙げて説明しているがこれに限定されない。例えば、軸外とする構成として、検眼ユニット５０の光学部材の光軸（光軸Ｌ４）に対して、投光光学系１０５の光軸Ｌ５及び受光光学系１２０の光軸Ｌ６を偏心させることで、軸外とする構成としてもよい。この場合、例えば、検眼ユニット５０の光学部材の光軸を視軸（光軸Ｌ４）と同軸とし、検眼ユニット５０の光学部材の光軸に対して、投光光学系１０５の光軸Ｌ５及び受光光学系１２０の光軸Ｌ６を偏心させるようにしてもよい。また、この場合、例えば、投光光学系１０５の光軸Ｌ５及び受光光学系１２０の光軸Ｌ６を視軸（光軸Ｌ４）と同軸とし、投光光学系１０５の光軸Ｌ５に対して、検眼ユニット５０の光学部材の光軸を偏心させるようにしてもよい。また、この場合、例えば、投光光学系１０５の光軸Ｌ５及び受光光学系１２０の光軸Ｌ６の一方を視軸（光軸Ｌ４）と同軸とし、投光光学系１０５の光軸Ｌ５と受光光学系１２０の光軸Ｌ６との少なくとも一方の光軸に対して、検眼ユニット５０の光学部材の光軸を偏心させるようにしてもよい。もちろん、検眼ユニット５０の光学部材の光軸と、投光光学系１０５の光軸Ｌ５と受光光学系１２０の光軸Ｌ６との少なくとも一方の光軸と、が軸外の関係であって、検眼ユニット５０の光学部材の光軸、投光光学系１０５の光軸Ｌ５、投光光学系１０５の光軸Ｌ５、及び受光光学系１２０の光軸Ｌ６が、視軸（光軸Ｌ４）に対して、偏心される構成であってもよい。
【０１３３】
また、例えば、軸外の構成において、投光光学系１０５の光軸Ｌ５及び受光光学系１２０の光軸Ｌ６の一方の光軸を傾斜させ、他方を偏心させる構成であってもよい。
【０１３４】
ここで、軸外構成について詳細に説明する。例えば、図７は、本実施例における傾斜構成について説明する図である。図８は、変容例である偏心構成について説明する図である。なお、図７、図８においては、検眼ユニット５０の検眼窓５３に配置される光学部材として、レンズ５７ａが配置されている場合を例に挙げて説明する。もちろん、例えば、検眼ユニット５０の検眼窓５３に配置される光学部材として、複数枚のレンズを含む構成であってもよい。また、図７、図８においては、投光光学系１０５の光軸Ｌ５を例に挙げて説明するが、受光光学系１２０の光軸Ｌ６についても同様の説明ができる。このため、受光光学系１２０の光軸Ｌ６の説明については省略する。
【０１３５】
例えば、図７において、投光光学系１０５の光軸Ｌ５は、検眼ユニット５０の光学部材の光軸に対して角度θだけ傾斜している状態を示している。本実施例においては、検眼ユニット５０の光学部材の光軸と、視軸（投影光学系１０の光軸Ｌ４）とが同軸となっている。このため、検眼ユニット５０の光学部材の光軸を光軸Ｌ４として説明する。例えば、光軸Ｌ４に対して、光軸Ｌ５が傾斜されていることで、投光光学系１０５からの測定光が光軸Ｌ４の軸外から、検眼ユニット５０の検査窓５３に配置される光学部材を介して、被検眼Ｅに照射される。また、被検眼Ｅで反射された測定光の反射光は、光軸Ｌ５及び光軸Ｌ６に沿って、受光光学系１２０の検出器１２１によって検出される。
【０１３６】
例えば、光軸Ｌ４に対して光軸Ｌ５が同軸となっている場合（検眼ユニット５０の光学部材の光軸と対物光学系１１０の光軸が同軸となっている場合）には、被検眼Ｅにて反射される反射光の他に、光学部材によって反射された反射光が、受光光学系１２０によって検出されてしまう。図７に示すように、例えば、光軸Ｌ４に対して光軸Ｌ５を傾斜させることによって、レンズ５７ａのレンズ面によって反射される測定光の反射光Ｓ１が、受光光学系１２０によって検出される領域から外れる方向に向かう。なお、レンズ面によって反射される測定光の反射光Ｓ１は、受光光学系１２０によって検出される領域から外れる方向に反射されるが、被検眼眼底で反射された測定光は、拡散光として種々の方向に反射されるため、眼底からの反射光は、受光光学系１２０によって検出することができる。これによって、受光光学系１２０によって、レンズ５７ａの反射光が検出されることを抑制することができる。なお、本実施例においては、レンズ５７ａの表面側（筐体側）の反射を例に挙げているが、レンズ５７ａの裏面側（被検者側）の反射に関しても同様に抑制することができる。
【０１３７】
例えば、図８において、投光光学系１０５の光軸Ｌ５は、検眼ユニット５０の光学部材の光軸に対してシフト量ΔＴ分だけ偏心している状態を示している。図８に示すように、例えば、光軸Ｌ４に対して光軸Ｌ５を偏心させることによって、レンズ５７ａのレンズ面によって反射される反射光Ｓ２が、受光光学系１２０によって検出される領域から外れる。これによって、受光光学系１２０によって、レンズ５７ａの反射光が検出されることを抑制することができる。
【０１３８】
このように、例えば、自覚式検眼装置は、被検眼の光学特性を他覚的に測定する測定光学系を備え、測定光学系の光軸が検眼ユニットにおける光学部材の光軸の軸外となるように設定される。これによって、投光光学系の測定光が検眼ユニットの光学部材によって反射されてしまうことで、検眼ユニットの光学部材からの反射光が被検眼によって反射された反射光とともに検出されてしまい、被検眼の光学特性を良好に測定できなくなることを抑制することができる。すなわち、検眼ユニットの光学部材からの反射光が検出器に検出されることを抑制することで、被検眼の光学特性を良好に測定できなくなることを抑制することができる。
【０１３９】
また、例えば、検眼ユニットにおける光学部材の光軸は、被検眼が正面方向から投影される視標光束を見るために設定された視軸と、同軸であって、検眼ユニットにおける光学部材の光軸に対して、投光光学系の光軸が軸外となるように、投光光学系が配置されるようにしてもよい。これによって、視軸と投光光学系の光軸とを同軸とし、検眼ユニットの光学部材の光軸を投光光学系に対して軸外とするように、検眼ユニットの光学部材が配置される構成よりも、容易な構成で検眼ユニットの光学部材からの反射光が検出器に検出されることを抑制することができる。
【０１４０】
また、例えば、検眼ユニットにおける光学部材の光軸は、被検眼が正面方向から投影される視標光束を見るために設定された視軸と、同軸であって、検眼ユニットにおける光学部材の光軸に対して、受光光学系の光軸が軸外となるように、受光光学系が配置されるようにしてもよい。これによって、視軸と受光光学系の光軸とを同軸とし、検眼ユニットの光学部材の光軸を受光光学系に対して軸外とするように、検眼ユニットの光学部材が配置される構成よりも、容易な構成で検眼ユニットの光学部材からの反射光が検出器に検出されることを抑制することができる。
【０１４１】
なお、本実施例においては、視軸（投影光学系１０の光軸Ｌ４）と、検眼ユニット５０の光学部材の光軸と、を同軸とし、投光光学系１０５の光軸Ｌ５及び受光光学系１２０の光軸Ｌ６が、検眼ユニット５０の光学部材の光軸に対して傾斜される構成を例に挙げて説明しているがこれに限定されない。例えば、視軸と、投光光学系１０５の光軸Ｌ５及び受光光学系１２０の光軸Ｌ６の少なくとも一方の光軸と、を同軸とし、検眼ユニット５０の光学部材の光軸が、投光光学系１０５の光軸Ｌ５及び受光光学系１２０の光軸Ｌ６の少なくとも一方の光軸に対して傾斜される構成としてもよい。もちろん、検眼ユニット５０の光学部材の光軸と、投光光学系１０５の光軸Ｌ５及び受光光学系１２０の光軸Ｌ６の少なくとも一方の光軸と、が軸外の関係であって、検眼ユニット５０の光学部材の光軸、投光光学系１０５の光軸Ｌ５、及び受光光学系１２０の光軸Ｌ６が、視軸（投影光学系１０の光軸Ｌ４）に対して、傾斜される構成であってもよい。
【０１４２】
なお、本実施例においては、検眼ユニット５０の光学部材の光軸が傾斜していない構成を例に挙げているがこれに限定されない。検眼ユニット５０の光学部材の内、少なくとも一部の光学部材が傾斜されるようにしてもよい。この場合、例えば、検眼ユニット５０における光学部材の内、保護カバー６５のみが傾斜して配置される構成としてもよい。このように、検眼ユニットの光学部材において、駆動しない光学部材である保護カバー６５を傾斜させることで、検眼ユニットからの反射光が検出器に検出されることをより抑制することができる。すなわち、検眼ユニットの光学部材の内、駆動がしない光学部材である保護カバー６５を傾斜させることで、容易な構成で、検眼ユニット５０からの反射光が検出器に検出されることをより抑制することができる。
【０１４３】
＜制御部＞
例えば、図９は、自覚式検眼装置１における制御系の概略構成図である。例えば、制御部８０には、第１操作部８、第２操作部９、ディスプレイ１１、検出器４５、コントローラ８１、不揮発性メモリ８２、光源９１、検出器１２１、光源１３０等が接続されている。また、例えば、制御部８０には、図示無き移動ユニットが備えるモータ、遠近切換部２０が備えるモータ２３、検眼ユニット５０の各部材が備える駆動部（駆動部５４、５５、５８、５９）等が接続されている。
【０１４４】
例えば、制御部８０は、ＣＰＵ（プロセッサ）、ＲＡＭ、ＲＯＭ等を備える。例えば、ＣＰＵは、自覚式検眼装置１における各部材の制御を司る。例えば、ＲＡＭは、各種の情報を一時的に記憶する。例えば、ＲＯＭには、自覚式検眼装置１の動作を制御するための各種プログラムや、検査視標データ等が記憶されている。なお、制御部８０は、複数の制御部（つまり、複数のプロセッサ）によって構成されてもよい。
【０１４５】
例えば、コントローラ８１は、投影光学系１０におけるディスプレイ１１の表示や、検眼ユニット５０における光学部材の配置等を切り換える際に用いる。例えば、コントローラ８１から入力された信号は、図示なきケーブルを介して制御部８０に入力される。なお、本実施例においては、コントローラ８１からの信号が、赤外線等の無線通信を介すことによって制御部８０へ入力される構成としてもよい。
【０１４６】
例えば、不揮発性メモリ８２は、電源の供給が遮断されても記憶内容を保持できる非一過性の記憶媒体である。例えば、不揮発性メモリ（以下、メモリと記載）８２としては、ハードディスクドライブ、フラッシュＲＯＭ、自覚式検眼装置、ＵＳＢメモリ等を使用することができる。例えば、メモリ８２には、ランドルト環視標等の検査視標データ（例えば、視力値０．１〜２．０の視標データ）が多数記憶されている。
【０１４７】
また、例えば、メモリ８２には、設定する検査距離及び被検者の瞳孔間距離に応じて、光路（遠用検査光路又は近用検査光路のいずれかの光路）と、球面屈折力（球面度数）と、プリズム量（プリズム度数とプリズムの基底方向）と、が設定されたテーブルが記憶されている（詳細は後述する）。
【０１４８】
例えば、本実施例において、制御部８０は、検出器４５の検出結果に基づいて自覚式検眼装置１の測定モードを切り換える。例えば、本実施例において、制御部８０は、カバー４３の開閉に連動して、測定モードの切り換えを自動的に行う。例えば、検出器４５によってカバー４３が開いたことが検出されると、制御部８０は、測定モードを被検者の瞳孔位置を確認するための第２モードに設定する。また、例えば、検出器４５によってカバー４３が閉じたことが検出されると、制御部８０は、測定モードを被検者の自覚的な検査を行うための第１モードに設定する。なお、本実施例では、カバー４３の開閉に連動して、測定モードの切り換えが自動的に行われる構成としたがこれに限定されない。例えば、測定モードの切り換えは、検者によって手動で行われてもよい。この場合には、後述するコントローラ８１を用いて、測定モードを切り換えるための信号を制御部８０へ入力する構成であってもよい。
【０１４９】
例えば、本実施例において、制御部８０は、遠用検査距離にて自覚式検査を行うための遠用距離検査モードと、近用検査距離にて自覚式検査を行うための近用距離検査モードと、を切り換える。例えば、検査距離を変更するための検査モードの切り換えは、検者によって手動で行われてもよい。この場合には、後述するコントローラ８１を用いて、検査モードを切り換えるための信号を制御部８０へ入力する構成であってもよい。もちろん、異なる検査距離にて順に検査をおこなっていく設定されており、自動的に検査モードが切り換えられる構成であってもよい。
【０１５０】
＜検査動作＞
以上のような構成を備える自覚式検眼装置１について、検査動作を説明する。初めに、例えば、検者は、第１操作部８を操作して、検眼ユニット５０を図８に示す検査位置に下降させる。例えば、第１操作部８が操作されると、制御部８０は、モータ３０を駆動する。例えば、図示無きモータの駆動によって、検眼ユニット５０が検査位置へ向けて下降する。例えば、図示無きモータが駆動されることによって、検眼ユニット５０が検査位置まで移動されると、検眼ユニット５０の下降が停止する。これによって、図１０に示されるように、眼屈折力測定ユニット５０の検査位置への移動が完了されて、検眼ユニット５０を用いた自覚式検査及び他覚式測定が可能な状態となる。
【０１５１】
上記のようにして、検眼ユニット５０が検査位置へ移動される。次いで、例えば、検者は、自覚式検査を実施する前に、予め、被検者のＰＤを測定しておき、自覚式検眼装置１において、測定したＰＤを入力する。これによって、制御部８０は、駆動部５８を駆動させ、左右レンズ室ユニット５２の間隔を調整し、検査窓５３の間隔を被検眼のＰＤに合わせて変更する。例えば、制御部８０は、左右の検査窓５３の光軸間の水平方向（Ｘ方向）における距離がＰＤと同一になるように調整をする。なお、本実施例において、同一とは略同一も含む。
【０１５２】
次いで、検者は、被検者に検査窓５３を覗くように指示する。ここで、例えば、検者は、被検眼Ｅの瞳孔間距離ＰＤを確認するためにカバー４３を開く。このとき、検出器４５はカバー４３が開いたことを検出し、制御部８０が測定モードを被検者の瞳孔位置を確認するための第２モードに切り換える。
【０１５３】
例えば、検者は、必要に応じて、コントローラ８１を操作して左右レンズ室ユニット５２の間隔を調整する。次いで、検者は、被検眼Ｅの角膜頂点位置を確認するために、角膜位置照準光学系６０を用いて、検眼ユニット５０に対する被検眼Ｅの位置合わせを行う。
【０１５４】
例えば、検眼ユニット５０に対する被検眼Ｅの位置合わせが終了すると、検者はカバー４３を閉じて自覚式検査及び他覚式測定を開始する。このとき、制御部８０は、検出器４５によって、カバー４３が閉じたことを検出し、測定モードを被検者の自覚的な検査を行うための第１モードに切り換える。
【０１５５】
初めに、他覚式測定が行われる。例えば、検者によって、コントローラ８１が操作され、他覚式測定を開始するためのスイッチが選択される。例えば、制御部８０は、コントローラ８１からの操作信号の出力に基づいて、他覚式測定（他覚測定）を開始するための他覚測定開始トリガ信号（以下、トリガ信号と記載）が発する。例えば、他覚測定を開始するためのトリガ信号が発せられると、制御部８０は、投光光学系１０５の測定光源１３０から測定光を出射する。この場合、測定光は、対物光学系１１０、ビームスプリッタ１５０を介して、被検眼Ｅの眼底に投影される。眼底から反射された測定光の反射光は、ビームスプリッタ１５０、受光光学系１２０を介して、受光光学系１２０の検出器１２１によって反射光が検出される。
【０１５６】
例えば、反射光は、検出器１２１によって検出され、検出器１２１からの出力信号は、メモリ８２に画像データ（測定画像）として記憶される。その後、制御部８０は、メモリ８２に記憶されたリング像を画像解析して各経線方向の屈折力の値を求める。制御部８０は、被検者眼のＳ（球面度数）、Ｃ（乱視度数）、Ａ（乱視軸角度）の他覚眼屈折力（他覚値）を得る。得られた他覚値はメモリ８２に記憶される。
【０１５７】
例えば、他覚式測定が完了すると、制御部８０は、自覚式検査を開始する。例えば、制御部８０は、自覚式検査の初期値として、他覚式測定によって測定された被検眼の光学特性を設定する。例えば、本実施例において、初期値設定に用いられる光学特性として、眼屈折力（例えば、球面度数、乱視度数、乱視軸角度）を例に挙げて説明する。なお、本実施例においては、初期値設定に用いられる光学特性として、眼屈折力を例に挙げて説明するがこれに限定されない。例えば、初期値設定に用いられる光学特性としては、異なる光学特性であってもよい。また、例えば、初期値設定に用いられる眼屈折力としては、球面度数、乱視度数、及び乱視軸角度の少なくともいずれかを用いるようにしてもよい。
【０１５８】
例えば、本実施例において、制御部８０は、測定光学系１００によって他覚的に測定された被検眼の光学特性をメモリ８２から呼び出し、検眼ユニット５０の初期値として設定する。例えば、制御部８０は、検眼ユニット５０の駆動を制御し、測定光学系１００の光学特性に対応する光学部材を、検査窓５３に切り換えて配置する。例えば、検眼ユニット５０が制御され、初期値の設定が完了すると、検者は、検眼ユニット５０の矯正度数の変更とともに検査視標を変更しながら、被検眼の自覚式検査を行っていく。
【０１５９】
なお、本実施例において、検者は、遠用距離検査モード又は近用距離検査モードのいずれかを設定する。例えば、遠用距離検査モードの場合には、遠用検査が行われる。また、例えば、近用距離検査モードの場合には、近用検査が行われる。
【０１６０】
例えば、遠用検査を行う場合（図３（ａ）参照）、制御部８０は、ディスプレイ１１を点灯する。例えば、保持部２１に保持されたディスプレイ１１から、平面ミラー１２に向けて視標光束が出射される。視標光束は、平面ミラー１２と凹面ミラー１３にそれぞれ反射され、再び平面ミラー１２を経由して被検眼Ｅに導光される。また、例えば、近用検査を行う場合（図３（ｂ）参照）、ディスプレイ１１は保持部２１とともに移動し、被検眼Ｅに対して近距離（例えば、４０ｃｍ離れた距離）に配置される。ディスプレイ１１からは、平面ミラー１２に向けて視標光束が出射される。視標光束は平面ミラー１２によって反射され、被検眼Ｅに導光される。
【０１６１】
例えば、自覚式検査時において、検者は、コントローラ８１を操作してディスプレイ１１の画面に検査視標を表示させる。制御部８０は、コントローラ８１からの入力信号に応じて、メモリ８２から該当する検査視標データを呼び出し、ディスプレイ１１の表示を制御する。被検者の被検眼Ｅには、検眼ユニット５０における検査窓５３と、呈示窓３と、を介して、ディスプレイ１１に表示された検査視標が呈示される。例えば、検者は検査視標を切り換えながら、被検者に検査視標の見え具合を問う。一例として、例えば、被検者の回答が正答の場合には、１段階高い視力値の視標に切り換える。また、一例として、例えば、被検者の回答が誤答の場合には、１段階低い視力値の視標に切り換える。また、例えば、検者は、視標の切り換えとともに、画面に表示された検査視標に対して、矯正度数を変更しながら、検査を行っていく。検者は、このようにして、設定した検査距離における被検眼の自覚眼屈折力（例えば、球面度数Ｓ、乱視度数Ｃ、乱視軸角度Ａ等）等を取得することができる。もちろん、上記と異なる自覚式検査を実施することで、自覚眼屈折力以外の被検眼の光学特性が取得されるようにしてもよい。
【０１６２】
例えば、自覚式検査が終了すると、検者は被検眼に対して仮枠検査を実施する。例えば、検者は、第１操作部８の上スイッチ８ａを操作して、検眼ユニット５０を図１に示す退避位置まで上昇させる。例えば、第１操作部８の上スイッチ８ａが操作されると、制御部８０は、図示無きモータを駆動する。なお、例えば、検眼ユニット５０を退避位置へ移動させる場合に、制御部８０は、検眼ユニット５０を検査位置へ移動させる場合の図示無きモータの回転方向と反対の回転方向に図示無きモータを回転させる。
【０１６３】
例えば、検眼ユニット５０の退避位置への移動が完了すると、検者は、被検者に仮枠（トライアルフレームあるいはテストフレーム）を装着させ、様々な度数のレンズ（トライアルレンズ）を取り換えながら、装用感を確認する。
【０１６４】
なお、本実施例において、自覚式検眼装置１は、自覚式検査を実施している間に他覚式測定を行い、被検眼の光学特性の変化を捉える構成を備えるようにしてもよい。例えば、本実施例においては、自覚式測定を実施している間に測定光学系１００によって測定された被検眼の光学特性に基づいて調節情報を取得する。例えば、調節情報は、自覚式測定を実施している間の被検眼の光学特性の変化を捉えるために用いることができる。
【０１６５】
なお、他覚式測定時において、検眼ユニット５０に配置されている光学部材を考慮して、測定結果を取得するようにしてもよい。例えば、検眼ユニット５０の検査窓において、光学部材が配置されている場合には、検眼窓５３の光学部材を介して受光された反射光は、光学部材による影響を受けている。例えば、制御部８０は、他覚式測定を実施した際に検眼ユニットに配置されていた光学部材の矯正度数（視標光束の光学特性の変化量）を取得する。例えば、制御部８０は、矯正度数に基づいて、被検眼を他覚的に測定して得られた測定結果を補正することで、他覚式測定を測定するための測定光が検眼ユニット５０の光学部材を経由することによって生じる光学特性のずれを補正することができる。
【０１６６】
より詳細には、例えば、検眼ユニット５０の矯正度数における球面度数がー１．０Ｄ、他覚式測定によって測定された光学特性における球面度数がー４．０Ｄであった場合に、球面度数間の差分を取得することによって、他覚式測定によって測定された光学特性における球面度数が−３．０Ｄであるとして取得される。なお、上記構成においては、光学特性として、球面度数を例に挙げて説明をしたがこれに限定されない。例えば、光学特性として、球面度数、乱視度数、及び乱視軸角度の少なくともいずれかを用いるようにしてもよい。
【０１６７】
なお、上記補正を行う場合に、検出器による受光結果（例えば、リング像）を補正するようにしてもよいし、受光結果から取得された他覚値を補正するようにしてもよい。すなわち、他覚式測定によって取得された被検眼の光学特性が、矯正度数（視標光束の光学特性の変化量）に基づいて補正される構成であればよい。
【符号の説明】
【０１６８】
１  自覚式検眼装置
２  筺体
３  呈示窓
４  保持ユニット
８  第１操作部
９  第２操作部
１０  投影光学系
１１  ディスプレイ
４０  観察ユニット
５０  検眼ユニット
５３  検査窓
６０  角膜位置照準光学系
８０  制御部
８２  不揮発性メモリ
１００  測定光学系
１０５  投光光学系
１１０  対物光学系
１２０  受光光学系
１２１  検出器
１３０  測定光源
１４０  受光用対物光学系
１５０  ビームスプリッタ
【図１】
2020049144.tif 000003
【図２】
2020049144.tif 000004
【図３】
2020049144.tif 000005
【図４】
2020049144.tif 000006
【図５】
2020049144.tif 000007
【図６】
2020049144.tif 000008
【図７】
2020049144.tif 000009
【図８】
2020049144.tif 000010
【図９】
2020049144.tif 000011
【図１０】
2020049144.tif 000012